(57)【要約】【課題】電子機器の筐体を閉じた状態と、筐体を背面側に折り畳んだ状態とを区別する。【解決手段】蓋側筐体（１０）と底側筐体（２０）とがヒンジ（３０）を介して接続された電子機器であって、蓋側筐体（１０）が有する磁石（１２）のＳ極からＮ極を通る磁石軸（１２ａ）が、底側筐体（２０）と対向する蓋側筐体（１０）の面に垂直な方向に対して傾いており、底側筐体（２０）が有する磁気センサ（ＡおよびＢ）が、閉状態およびタブレット状態において磁石（１２）により生じる磁界を互いに区別して検出する。【選択図】図６
2015119470.tif 000002
【特許請求の範囲】
【請求項１】
磁石を有する略板状の第１筐体と
上記磁石により生じる磁界を検出する磁気検出部を有する略板状の第２筐体と、を備えた電子機器であって、
上記第１筐体の或る表面と上記第２筐体の或る表面とが重畳する状態を第１状態とし、上記第１筐体の上記或る表面と反対の面と、上記第２筐体の上記或る表面と反対の面とが重畳する状態を第２状態とすると、
上記磁石は、上記第１状態および上記第２状態において、上記第１筐体と対向する上記第２筐体の上記或る表面に対して、当該磁石のＳ極からＮ極を通る磁石軸が傾いているものであり、
上記磁気検出部は、上記第１状態および上記第２状態において上記磁石により生じる磁界をそれぞれ区別して検出することを特徴とする電子機器。
【請求項２】
上記磁気検出部は、少なくとも第１磁気センサおよび第２磁気センサを含む複数の磁気センサで構成されており、
上記磁石は、
上記第１状態において上記第１磁気センサが反応し、上記第２状態において上記第１磁気センサが反応しない第１領域と、
上記第１状態において上記第２磁気センサが反応せず、上記第２状態において上記第２磁気センサが反応する第２領域と、
上記第１状態および上記第２状態において上記第１磁気センサまたは上記第２磁気センサが反応する第３領域と、の領域のうち、少なくとも２種の領域を上記第２筐体およびその内部に生成し、
少なくとも上記第１磁気センサおよび上記第２磁気センサが、上記第１領域、上記第２領域および上記第３領域のうちの少なくとも２種の領域内に、別れて配置されていることを特徴とする請求項１に記載の電子機器。
【請求項３】
上記磁気センサのうち少なくとも１つが、上記第１状態または上記第２状態における上記磁石の略磁石軸上に配置されていることを特徴とする請求項２に記載の電子機器。
【請求項４】
上記第１筐体および上記第２筐体は、接続部を介して回動可能に接続されており、
上記第１筐体または上記第２筐体を回動させることにより、電子機器が上記第１状態から上記第２状態または上記第２状態から上記第１状態へと遷移する途中の状態を第３状態とすると、
上記磁気検出部は、上記第１状態、上記第２状態、および上記第３状態において、上記磁石により生じる磁界をそれぞれ区別して検出するものであることを特徴とする請求項１〜３の何れか１項に記載の電子機器。
【請求項５】
上記第１筐体は、上記第１筐体の上記或る表面に表示部を有し、
上記第２筐体は、上記第２筐体の上記或る表面に物理的なキーで構成される操作部を有し、
上記電子機器が上記第１状態であれば、上記電子機器の電源をＯＦＦ状態にし、上記電子機器が上記第２状態であれば、上記電子機器の電源をＯＮ状態にすると共に、上記操作部のうち、上記電子機器の電源ＯＮ／ＯＦＦを切り替える切替部以外のキーの操作を無効とし、上記電子機器が上記第３状態であれば、上記電子機器の電源をＯＮ状態にすると共に、上記操作部の全てのキーの操作を有効にする制御手段をさらに備えることを特徴とする請求項４に記載の電子機器。
【請求項６】
上記第１筐体の上記或る表面に有する表示部に表示させる画像を、上記電子機器が第２状態である場合と、上記電子機器が第３状態である場合とで異なる表示方向で表示させる表示制御手段を備えることを特徴とする、請求項４または５に記載の電子機器。
【請求項７】
上記表示制御手段は、上記電子機器が上記第２状態から上記第３状態に変化してから、または、上記第３状態から上記第２状態に変化してから所定時間が経過した後に上記画像の上記表示方向を切替えることを特徴とする、請求項６に記載の電子機器。
【請求項８】
上記電子機器に対する所定の操作を検出する操作検出手段を備え、
上記表示制御手段は、上記操作検出手段が上記所定の操作を検出した場合は、上記電子機器の状態が上記第２状態または上記第３状態から変化しても上記表示方向を上記変化前の上記電子機器の状態に応じた上記表示方向を維持することを特徴とする、請求項６または７に記載の電子機器。
【請求項９】
音声入力を受け付ける音声入力部および音声出力する音声出力部の少なくとも１つと、
上記電子機器が第２状態である場合と、上記電子機器が第３状態である場合とで、上記音声入力部の入力レベルの値および上記音声出力部の出力レベルの値の少なくとも一方を異なるように設定する音声入出力制御手段と、を備えることを特徴とする、請求項４から８のいずれか１項に記載の電子機器。
【請求項１０】
上記電子機器が上記第２状態において所定の機能を実行中の場合は、上記電子機器の状態が上記第２状態と異なる状態に変化しても上記第２筐体の上記或る表面に構成される操作部に対する入力の無効を維持する第１入力無効化手段を備えることを特徴とする、請求項４に記載の電子機器。
【請求項１１】
上記第３状態のうちで、上記第１筐体の上記或る表面と上記第２筐体の上記或る表面とが上記接続部を介してなす角度が１８０度より大きく３６０度以下である状態を第４状態として検出する第４状態検出部を備えることを特徴とする、請求項４から１０のいずれか１項に記載の電子機器。
【請求項１２】
上記電子機器が上記第２状態または上記第４状態である場合は、上記第２筐体の上記或る表面に配置された操作部に対する入力を無効とする第２入力無効化手段を備えることを特徴とする、請求項１１に記載の電子機器。
【請求項１３】
上記第４状態検出部は、上記第１筐体の上記或る表面と上記第２筐体の上記或る表面とが上記接続部を介してなす角度を検出する角度検出センサであることを特徴とする、請求項１１または１２に記載の電子機器。
【請求項１４】
上記第４状態検出部は磁気センサであり、上記第１筐体、上記第２筐体、および上記接続部のいずれかに配置されていることを特徴とする、請求項１１または１２に記載の電子機器。
【請求項１５】
上記第４状態検出部は加速度センサであることを特徴とする、請求項１１または１２に記載の電子機器。
【発明の詳細な説明】
【技術分野】
【０００１】
本発明は、２つの筐体を備える電子機器、特に、２つの筐体が回動可能に接続された電子機器に関するものである。
【背景技術】
【０００２】
電子辞書やパーソナルコンピュータ、携帯電話機など折り畳み（開閉）可能な電子機器において、磁石と磁気センサとを用いて自機の開閉を判定する技術が従来から知られている。
【０００３】
図１２の（ａ）および（ｂ）は、従来の電子機器における磁石および磁気センサの配置を示している。図示の通り、電子機器２００は、画面を備えた蓋側（Ｚ軸の正方向側）の筐体２１０に磁石２１２を備えており、底側（Ｚ軸の負方向側）の筐体２２０に磁気センサ２２３を備えている。また、蓋側の筐体２１０と底側の筐体２２０とは、ヒンジ２３０で接続されている。
【０００４】
このような電子機器２００において、蓋側の筐体２１０と、底側の筐体２２０とを折り畳む（閉じる）と、底側の筐体２２０に内蔵された磁気センサ２２３は、蓋側の筐体２１０に内蔵された磁石２１２から生じる磁界を検出する（図１２の（ａ））。一方、蓋側の筐体２１０を回動させて開くと、磁気センサ２２３は磁石２１２と離れるため、磁石２１２により生じる磁界を検出しない（図１２の（ｂ））。
【０００５】
近年、蓋側の筐体２１０を底側の筐体２２０の背面側に折り畳み可能な電子機器が開発されている。例えば、特許文献１には、画像表示部を有する上筐体部を、ダイヤルキーを有する下筐体部の表面側（ダイヤルキー側）および背面側（ダイヤルキー側とは反対側）に折り畳むことが可能な携帯電話機が開示されている。
【０００６】
特許文献１にはさらに、上筐体部の画像表示部をダイヤルキー側に折り畳んだ場合に磁界が生じる位置と、ダイヤルキー側とは反対側に折り畳んだ場合に磁界が生じる位置とに磁気センサを設置することにより、電子機器の開閉に加え、蓋側の筐体を底側の筐体の背面まで折り畳んだ状態を判定する技術が開示されている。
【先行技術文献】
【特許文献】
【０００７】
【特許文献１】特開２００２−１１８６３３号公報（２００２年４月１９日公開）
【特許文献２】特開２００４−２８９４１２号公報（２００４年１０月１４日公開）
【発明の概要】
【発明が解決しようとする課題】
【０００８】
ところで、上記折り畳み可能な電子機器の中には、蓋側の筐体２１０が底側の筐体２２０に対して略３６０度回動可能なように設計されているものもある。図１２の（ｃ）は、電子機器２００において、蓋側の筐体２１０を、図１２の（ｂ）に示す開いた状態からさらに回動させ底側の筐体２２０の下側（Ｚ軸の負方向側）に重ねて折り畳んだ状態を示す図である。
【０００９】
蓋側の筐体２１０が底側の筐体２２０に対して略３６０度回動可能な場合、当該電子機器２００の蓋側の筐体２１０が閉じた状態のとき（図１２の（ａ））と、蓋側の筐体２１０を底側の筐体２２０の背面側に折り畳んだ状態（図１２の（ｃ））のときとで、底側の筐体２２０に対する磁石２１２のＸＹ座標系の位置は同じになる。そのため電子機器２００では、閉じた状態でも、背面側に折り畳んだ状態でも磁気センサ２２３が反応してしまい、これらの状態を区別することができない。
【００１０】
このように、電子機器の筐体が略３６０度回動可能で折り畳み可能であった場合、従来の電子機器における磁石および磁気センサの配置を適用したとしても、電子機器の筐体が閉じた状態と、筐体が背面側に折り畳まれた状態とを区別することができない。
【００１１】
また、上述の特許文献１に記載の技術では、上筐体部の画像表示部をダイヤルキー側に折り畳んだ場合に磁界が生じる位置と、ダイヤルキー側とは反対側に折り畳んだ場合に磁界が生じる位置とが異なるため、２つの磁気センサで２種の状態を判別することができる。しかしながら、筐体が略３６０度回動可能な電子機器の場合、特許文献１に記載の携帯電話機と異なり、携帯電話機を閉じた状態と折り畳んだ状態とで座標位置のずれは生じない。したがって、上記略３６０度回動可能な電子機器に特許文献１の技術を適用しても、当該電子機器を閉じた状態と、折り畳んだ状態とを適切に判定できない。
【００１２】
本発明は、上記問題点を鑑みたものであり、その目的は、電子機器の筐体を閉じた状態と筐体を背面側に折り畳んだ状態とを区別可能な電子機器を実現することにある。
【課題を解決するための手段】
【００１３】
上記の課題を解決するために、本発明の一態様に係る電子機器は、磁石を有する略板状の第１筐体と上記磁石により生じる磁界を検出する磁気検出部を有する略板状の第２筐体と、を備えた電子機器であって、上記第１筐体の或る表面と上記第２筐体の或る表面とが重畳する状態を第１状態とし、上記第１筐体の上記或る表面と反対の面と、上記第２筐体の上記或る表面と反対の面とが重畳する状態を第２状態とすると、上記磁石は、上記第１状態および上記第２状態において、上記第１筐体と対向する上記第２筐体の上記或る表面に対して、当該磁石のＳ極からＮ極を通る磁石軸が傾いているものであり、上記磁気検出部は、上記第１状態および上記第２状態において上記磁石により生じる磁界をそれぞれ区別して検出することを特徴とする。
【発明の効果】
【００１４】
本発明の一態様によれば、電子機器を閉じた状態と折り畳んだ状態とを区別することができるという効果を奏する。
【図面の簡単な説明】
【００１５】
【図１】本発明の実施形態１に係る電子辞書における磁石の配置の一例、および当該配置により生じる磁界を示す模式図である。
【図２】閉状態の上記電子辞書の外観の一例を示す斜視図である。
【図３】開状態の上記電子辞書の外観の一例を示す斜視図である。
【図４】タブレット状態の上記電子辞書の外観の一例を示す斜視図である。
【図５】閉状態の上記電子辞書の構成の一例を示すＹＺ断面図である。
【図６】上記電子辞書において、磁石から生じる磁力線と、磁気センサの配置の一例とを示す図であり、（ａ）は閉状態の上記電子辞書を示し、（ｂ）は、タブレット状態の上記電子辞書を示す。
【図７】上記電子辞書の状態と、２つの磁気センサの出力信号との関係の一例を示す図である。
【図８】上記電子辞書の構成の一例を示すブロック図である。
【図９】上記電子辞書における状態判定処理および状態判定処理後の機器制御の流れの一例を示すフローチャートである。
【図１０】本発明の実施形態２に係る電子辞書における磁石の配置の一例、および当該配置により生じる磁界を示す模式図である。
【図１１】（ａ）および（ｂ）は、本発明の参考に係る電子辞書に内蔵された磁石、磁気センサおよび磁気シールドの配置の一例を示すＹＺ断面図であり、（ａ）は閉状態の上記電子辞書を示し、（ｂ）は、タブレット状態の上記電子辞書を示す。
【図１２】（ａ）および（ｂ）は、従来の電子辞書のＹＺ平面における断面図であり、従来の電子機器における磁石および磁気センサの配置を示すものである。（ａ）は、筐体を閉じた状態を示し、（ｂ）は、筐体を開けた状態を示す。また、（ｃ）は、筐体が略３６０度回動可能な電子辞書のＹＺ平面における断面図であり、当該電子辞書において、筐体を折り畳んだ状態のＹＺ平面における断面図を示す。
【図１３】本発明の実施形態４〜６に係る電子辞書の要部構成を示す図である。
【図１４】実施形態４に係る電子辞書における画像の表示方向の制御を示す図である。（ａ）は、上記電子辞書が開状態の場合と、タブレット状態の場合の、画像の表示方向を示す図である。（ｂ）は、タッチパネルにタッチしながら上記電子辞書の状態を変化させた場合の、画像の表示方向を示す図である。
【図１５】実施形態５に係る電子辞書におけるマイクおよびスピーカの位置関係を示す図である。（ａ）は、上記電子辞書が開状態の場合のマイクおよびスピーカの位置関係を示している。（ｂ）および（ｃ）は上記電子辞書がタブレット状態の場合のマイクおよびスピーカの位置関係を示している。
【図１６】実施形態６に係る電子辞書の入力制御部による処理のフローチャートである。（ａ）は、上記入力制御部におけるキーボードの有効化および無効化処理を示すフローチャートである。（ｂ）は、上記入力制御部におけるキーボードの有効化および無効化処理の変形例を示すフローチャートである。
【図１７】本発明の実施形態７に係る電子辞書の要部構成を示す図である。
【図１８】実施形態７に係る電子辞書がとり得る４状態（閉状態、開状態、タブレット状態、およびフォトフレーム状態）と、上記４状態におけるキーボードの操作の有効または無効の設定とを示す図である。
【図１９】（ａ）〜（ｇ）は磁気センサおよび磁石を配置した実施形態６に係る電子辞書のＹＺ平面における断面図であり、蓋側筐体と底側筐体とのなす角度と、磁気センサの検出結果（信号出力のＯＮ／ＯＦＦ）とを示した図である。
【図２０】（ａ）および（ｂ）は、底側筐体に加速度センサを配置した上記電子辞書のＹＺ平面における断面図であり、底側筐体の向きと、加速度センサの検出結果（底側筐体の向き）とを示した図である。
【発明を実施するための形態】
【００１６】
本実施形態では、一例として、本発明を電子辞書にて実施した場合について説明する。電子辞書は、物理的な記録媒体やネットワーク上に保存されている辞書・百科事典等の内容を検索・表示するものである。ただし、本発明の適用対象は電子辞書に限るものではなく、タブレットＰＣ、電子ノート、携帯ゲーム機、スマートフォン、携帯電話機等、任意の電子機器に適用可能である。なお、電子ノートとは、タッチパネルを搭載し、スタイラス等を用いて入力された手書き文字等を保存するものである。すなわち、電子ノートとは、電子的なノートの機能を有するものである。
【００１７】
〔実施形態１〕
本発明の一実施形態について図１から図９に基づいて説明すると、以下の通りである。なお、各図面に記載した構成の形状、並びに、長さ、大きさおよび幅などの寸法は、実際の形状や寸法を反映させたものではなく、図面の明瞭化と簡略化のために適宜変更している。
【００１８】
≪電子辞書の構成≫
まず始めに、図２〜４に基づき、本実施形態に係る電子辞書１（電子機器）の外部構造について説明する。なお、本実施形態に直接関係のない部分は、記載の簡潔性を担保する観点から図面では省略した。しかしながら、電子辞書１は実施の実情に即して当該省略した構成を含んでもよい。
【００１９】
図３は、電子辞書１の外観を示す斜視図である。図３に示す通り、電子辞書１は、蓋側筐体１０（第１筐体）と、底側筐体２０（第２筐体）と、ヒンジ（接続部）３０とを備えている。蓋側筐体１０と底側筐体２０とはヒンジ３０を介して回動可能に接続されている。また、底側筐体２０はキーボード２１（操作部）を備えており、蓋側筐体１０はタッチパネル１１（表示部）を備えている。
【００２０】
蓋側筐体１０は、蓋側筐体１０に内蔵された部材（後述の磁石等）を保護する略板状の筐体である。また、底側筐体２０も、底側筐体２０に内蔵された部材（後述の基板、磁気センサ等）を保護する略板状の筐体である。蓋側筐体１０および底側筐体２０の構成材料としては、例えば合成樹脂等を用いることができる。
【００２１】
タッチパネル１１は、画像データを表示する表示部と、タッチ入力を受け付ける入力部とが一体に形成されたタッチパネルである。タッチパネル１１は、後述するタブレット状態においてタッチ入力を受け付け可能である。なお、タッチパネル１１は、表示機能のみを有する表示部であってもよい。タッチパネル１１は、蓋側筐体１０の或る表面に設けられている。
【００２２】
キーボード２１は、電子辞書１に対するユーザの入力操作を受け付ける入力装置である。本実施形態では、キーボード２１は物理キーであるとしたが、キーボード２１の種類は特に限定されず、例えばタッチパネル上のソフトウェアキーボードなど、平面状の入力装置であっても構わない。
【００２３】
キーボード２１はさらに、電源キー２１ａ（切替部）を含む。電源キー２１ａは、電子辞書１の起動および停止（ＯＮおよびＯＦＦ）を切替えるボタンまたはスイッチである。なお、本実施形態では、電源キー２１ａはキーボード２１の一部であるとしたが、電源キー２１ａはキーボード２１とは独立して設けられていてもよく、その配置は特に限定されない。例えば、電源キー２１ａは、蓋側筐体１０または底側筐体２０の側面（蓋側筐体１０または底側筐体２０において、ＸＺ平面またはＹＺ平面に略平行な面）に設けられていてもよい。
【００２４】
ヒンジ３０は、蓋側筐体１０を底側筐体２０に対して（またはその逆）略３６０度回動可能な接続部である。ヒンジ３０の種類は特に限定しないが、例えば、いわゆる２軸ヒンジ、または３６０度ヒンジ等を用いることができる。電子辞書１において、ヒンジ３０の回動方向に沿った力が蓋側筐体１０に対し加えられると、ヒンジ３０が回動する。ヒンジ３０はさらに、任意の角度に回動した状態で固定可能である。したがって、電子辞書１のユーザは、蓋側筐体１０（蓋側筐体１０と接続したヒンジ３０）を回動させることにより、蓋側筐体１０と底側筐体２０とを所望の角度に調節することができる。
【００２５】
以降、説明の便宜上、蓋側筐体１０においてタッチパネル１１が露出している面を「表示面」と称し、表示面と反対側の面を「蓋側面」と称する。また、底側筐体２０においてキーボード２１が露出している面を「操作面」と称し、操作面と反対側の面を「底面」と称する。また、底側筐体２０の底面から操作面に向かう方向をＺ軸の正方向とする。また、Ｚ軸と直交する平面をＸＹ平面とする。
【００２６】
本実施形態において、底側筐体２０において、Ｚ軸の正方向側にキーボード２１が備えられている。また、蓋側筐体１０において、底側筐体２０のキーボード２１が備えられた面とヒンジ３０を介し連結している面に、タッチパネル１１が備えられている。また、ヒンジ３０の回転軸はＸ軸方向に平行である。
【００２７】
≪電子辞書の状態≫
次に、図２〜４を用いて、電子辞書１の取り得る３つの状態（閉状態、開状態、およびタブレット状態）について説明する。電子辞書１は、閉状態（第１状態）、開状態（第３状態）、およびタブレット状態（第２状態）の３つの状態（形態）をとることが可能な機器である。図２は閉状態の電子辞書１を示しており、図３は開状態の電子辞書１を示している。そして、図４はタブレット状態の電子辞書１を示している。なお、図４では、タブレット状態の電子辞書１を、上下左右（Ｘ軸およびＺ軸）さかさまにした状態で示している。
【００２８】
閉状態とは、図２に示すように、蓋側筐体１０が底側筐体２０のＺ軸の正方向側に、かつ、底側筐体２０と互いに重畳して折り畳まれた状態である。つまり、閉状態とは、蓋側筐体１０および底側筐体２０が略平行で、かつ、蓋側筐体１０の表示面と底側筐体２０の操作面とが対向する状態である。
【００２９】
閉状態では、蓋側筐体１０の表示面は底側筐体２０の操作面に対向して重なるように折り畳まれる。したがって、閉状態において、タッチパネル１１およびキーボード２１は蓋側筐体１０および底側筐体２０によって覆われている。すなわち、閉状態では、タッチパネル１１およびキーボード２１を使用することができない。
【００３０】
また、開状態とは、図３に示すように、蓋側筐体１０と底側筐体２０とが重なって（折り畳まれて）いない状態である。つまり、開状態とは、蓋側筐体１０および底側筐体２０が、閉状態からタブレット状態へ遷移する途中、または、タブレット状態から閉状態へ遷移する途中の状態である。換言すると、開状態とは、閉状態でもなく、タブレット状態でもない状態である。
【００３１】
開状態では、蓋側筐体１０と底側筐体２０とは、平行ではない任意の角度を成しているか、もしくは同一平面上にある。
【００３２】
また、タブレット状態とは、図４に示すように、蓋側筐体１０が底側筐体２０のＺ軸の負方向側に、かつ、底側筐体２０と互いに重畳して折り畳まれた状態である。つまり、タブレット状態とは、蓋側筐体１０および底側筐体２０が略平行で、かつ、蓋側筐体１０の表示面と反対の面と、底側筐体２０の操作面と反対の面とが対向する状態である。タブレット状態では、蓋側筐体１０の蓋側面は、底側筐体２０の底面に対向して重なるように折り畳まれる。
【００３３】
さらに、閉状態およびタブレット状態について換言すると、閉状態とは、蓋側筐体１０の或る表面と底側筐体２０の或る表面とが重畳する状態である。また、タブレット状態とは、蓋側筐体１０の上記或る表面と反対の面と、底側筐体２０の上記或る表面と反対の面とが重畳する状態である。
【００３４】
なお、タブレット状態では、タッチパネル１１が電子辞書１の表面（Ｚ軸において負方向の面）に露出している一方、キーボード２１も電子辞書１の表面（Ｚ軸において正方向の面）に露出している。本実施形態では、タブレット状態では、キーボード２１がタッチパネル１１の反対面に位置するため、タッチパネル１１により入力が行われる。
【００３５】
以上のように、電子辞書１の外部構造は、閉状態、開状態、およびタブレット状態の３つの状態をとることが可能な構造であればよい。さらには、電子辞書１は、上記３つの状態に応じて、表示処理および入力処理など、自機の各種制御を調節可能であることが望ましい。本実施形態では一例として、電子辞書１が上記３つの状態に応じて、自機の起動（電源ＯＮ）および停止（電源ＯＦＦ）、ならびにキーボード２１のキー操作の有効および無効を切替える構成とする。なお、この制御に代えて、または別の制御を行ってもよい。
【００３６】
なお、以降の説明では、電子辞書１は蓋側筐体１０を回動させることにより閉状態、開状態、およびタブレット状態をとることとする。しかしながら、電子辞書１は、蓋側筐体１０ではなく底側筐体２０がヒンジ３０の回転軸に沿って回動する構成であってもよい。
【００３７】
≪電子辞書の内部構造≫
次に、図５を用いて電子辞書１の内部構造について説明する。図５は、電子辞書１のＹＺ断面における断面図である。図示の通り、蓋側筐体１０には磁石１２が内蔵されている。また、底側筐体２０には、基板２２が内蔵されており、基板２２には磁気センサＡ（磁気検出部）および磁気センサＢ（磁気検出部）が設けられている。
【００３８】
基板２２は、磁気センサＡおよび磁気センサＢ、並びに、磁気センサＡおよびＢから出力された信号を処理するＩＣ等が搭載されたものである。基板２２は、板状であり、底側筐体２０の操作面と略平行に配置されている。
【００３９】
磁石１２は、磁界を生じさせるものである。磁石１２は図示の通り、蓋側筐体１０の垂直面（Ｚ軸）に対し、磁石のＳ極からＮ極を通る磁石軸１２ａが傾けられて取付けられる。なお、磁石１２は、蓋側筐体１０に内蔵可能で、Ｚ軸に対し傾けて配置することが可能な磁石であれば、その種類は限定されない。
【００４０】
磁気センサＡおよび磁気センサＢは、所定の方向成分の磁界を検出可能なセンサである。磁気センサＡおよび磁気センサＢとしては、例えばホールセンサまたはＭＲ（Magneto-Resistive）センサ等を利用することができる。
【００４１】
ホールセンサは、ホールＩＣ、リニアホールＩＣ等を用いたセンサであり、自センサに対し垂直方向の磁界成分を検出可能なセンサである。ホールセンサは、検出可能な磁界の向きにより、３種のセンサに分類される。
【００４２】
自センサに対し垂直方向の磁界成分で、かつ、自センサの底側の面から上側の面へ向かう磁界成分を検出するホールセンサをＳセンサと称する。また、自センサに対し垂直方向の磁界成分で、かつ自センサの上側の面から底側の面へ向かう磁界成分を検出するホールセンサをＮセンサと称する。また、自センサに対し垂直方向の磁界成分で、自センサの底側の面から上側の面へ向かう磁界成分および自センサの上側の面から底側の面へ向かう磁界成分を検出するホールセンサを両センサと称する。
【００４３】
一方、ＭＲセンサは、磁気抵抗効果素子等を用いたセンサであり、自センサに対し平行方向の磁界成分を検出可能なセンサである。ＭＲセンサも、検出可能な磁界の向きにより、３つのセンサに分類される。
【００４４】
具体的には、ＭＲセンサには、自センサに対し平行方向の磁界成分で、かつ、自センサの右側面から左側面へ向かう磁界成分を検出するセンサと、自センサに対し平行方向の磁界成分で、かつ自センサの左側面から右側面へ向かう磁界成分を検出するセンサと、自センサに対し平行方向の磁界成分で、自センサの右側面から左側面へ向かう磁界成分および自センサの左側面から右側面へ向かう磁界成分を検出するセンサとがある。
【００４５】
本実施形態では、磁気センサＡとしてホールセンサのＳセンサを、磁気センサＢとしてホールセンサのＮセンサを用いることとする。また、磁気センサＡを基板２２の表側（底側筐体２０の操作面側）に、当該センサ（素子、ＩＣ）の底側が基板２２に接するように取付け、磁気センサＢを基板２２の裏側（底側筐体２０の底面側）に、これらのセンサの底側が基板２２に接するように取付けることとする。すなわち、磁気センサＡおよび磁気センサＢは、共にＺ軸の正方向の磁界成分を検出するものである。
【００４６】
また、本実施形態において磁気センサＡおよび磁気センサＢは、所定の閾値以上の磁界を検出した場合に、磁界を検出したことを示すＯＮ信号を、後述する電子辞書１の制御部１００へと送信する。以降、磁気センサＡまたは磁気センサＢが上記所定の閾値以上の磁界を検出してＯＮ信号を出力することを、「磁気センサＡ（またはＢ）が反応する」と称する。一方、磁気センサＡまたは磁気センサＢが上記所定の閾値以上の磁界を検出せず、信号を出力しないことを、「磁気センサＡ（またはＢ）が反応しない」と称する。
【００４７】
また、換言すると、磁気センサＡおよび磁気センサＢは、少なくとも閉状態およびタブレット状態において磁石１２により生じる磁界をそれぞれ区別して検出する磁気検出部であると言える。
【００４８】
≪磁石および磁気センサの配置方法≫
続いて、図１、図６、および図７を用いて、磁石１２、磁気センサＡ、および磁気センサＢの配置方法について詳述する。
【００４９】
まず、図６および図７を用いて、磁気センサＡおよび磁気センサＢの配置の具体例を説明する。図６は、電子辞書１のＹＺ断面における断面図であり、磁石１２から生じる磁力線と、磁気センサＡおよびＢの配置とを示している。図６の（ａ）は電子辞書１が閉状態の場合を示し、図６の（ｂ）は電子辞書１がタブレット状態の場合を示す。
【００５０】
図示のように、磁石１２は、表示面および操作面に垂直な方向（Ｚ軸方向）に対し磁石軸がθ１の角度で傾けて取り付けられており、磁石１２の周辺には、磁界が生じ、その磁界の方向は磁石１２のＮ極からＳ極へと向かう磁力線により表される。なお図６では、当該磁力線を矢印で示し、当該磁石軸を軸１２ａで示す。換言すると、磁石１２は、閉状態およびタブレット状態において、蓋側筐体１０と対向する底側筐体２０の或る表面に対して、磁石１２のＳ極からＮ極を通る磁石軸１２ａが傾いている。
【００５１】
蓋側筐体１０では、磁石軸１２ａが基板２２に垂直な方向（Ｚ軸）に対し傾いているため、閉状態とタブレット状態とで、磁石軸１２ａと基板２２とが交わる位置が変化する。磁気センサＡは、電子辞書１が閉状態の場合に磁石軸１２ａと基板２２とが交わる位置に設けられており、磁気センサＢは、電子辞書１がタブレット状態の場合に、磁石軸１２ａと基板２２とが交わる位置に設けられている。
【００５２】
換言すると、磁気センサＡは、閉状態における磁石１２の略磁石軸１２ａ上に配置されており、磁気センサＢは、タブレット状態における磁石１２の略磁石軸１２ａ上に配置されている。ここで、略磁石軸１２ａ上とは、底側筐体２０の表面および底側筐体２０の内部における磁石軸１２ａの延長線周囲の所定領域である。例えば、略磁石軸１２ａ上とは、磁石軸１２ａの延長線と基板２２との交点周辺の所定領域である。
【００５３】
なお、図６において、磁気センサＡおよび磁気センサＢは、Ｚ軸の正方向の成分を持つ磁界を検出することとする。また、磁気センサＡおよび磁気センサＢは、ＹＺ平面において磁石１２と同一平面上にあるように設けられていることとする。これらは、以降の図においても同様である。
【００５４】
電子辞書１が閉状態の場合、図６の（ａ）に示すように、磁気センサＡは磁石１２の磁石軸１２ａの延長線上に位置する。そのため、図示のように、磁気センサＡ上にＺ軸の正方向の磁界成分が生じている。一方、磁気センサＢは、図示の通り磁石から離れた位置であり、磁石軸１２ａに対して垂直な方向に位置する。そのため、磁気センサＢ上に生じる磁界は、Ｙ軸方向の磁界成分が多く、Ｚ軸の正方向の磁界成分が少ない。そのため、電子辞書１が閉状態の場合、磁気センサＡは反応するが、磁気センサＢは反応しない。
【００５５】
一方、電子辞書１がタブレット状態の場合、図６の（ｂ）に示すように、磁気センサＢは磁石軸１２ａの延長線上に位置する。そのため、Ｚ軸の正方向の磁界成分が磁気センサＢ上に生じる。一方、磁気センサＡは、図示の通り磁石から離れた位置であり、磁石軸１２ａに対して垂直な方向に位置する。そのため、磁気センサＡ上に生じる磁界は、Ｙ軸方向の磁界成分が多く、Ｚ軸の正方向の磁界成分が少ない。そのため、電子辞書１がタブレット状態の場合、磁気センサＢは反応するが、磁気センサＡは反応しない。
【００５６】
なお、電子辞書１が開状態の場合は、蓋側筐体１０と底側筐体２０との距離が離れる。そのため、磁石１２から生じる磁界は、磁気センサＡおよび磁気センサＢが検出できる強度で磁気センサＡおよび磁気センサＢに及ばない。したがって、電子辞書１が開状態の場合、磁気センサＡも磁気センサＢも反応しない。
【００５７】
図７は、図６に示した配置における磁気センサＡおよび磁気センサＢの状態と、電子辞書１の状態とをまとめた表である。「電子辞書の状態」列は電子辞書１の状態を示し、「センサＡ」および「センサＢ」列はそれぞれ、磁気センサＡおよび磁気センサＢの状態を示している。「ＯＮ」は磁気センサＡまたは磁気センサＢが反応することを示し、「ＯＦＦ」は磁気センサＡまたは磁気センサＢが反応しないことを示す。
【００５８】
上述した通り、電子辞書１が閉状態の場合、磁気センサＡは反応するが、磁気センサＢは反応しない（図７の１行目）。一方、電子辞書１が開状態の場合、磁気センサＡも磁気センサＢも反応しない（図７の２行目）。他方、電子辞書１がタブレット状態の場合、磁気センサＢは反応するが、磁気センサＡは反応しない（図７の３行目）。
【００５９】
以上のように、磁石１２をθ１傾けて設置することにより、電子辞書１が閉状態の場合とタブレット状態の場合とで、Ｚ軸の正方向の磁界成分が所定値以上である（磁気センサがＯＮ信号を出力する）領域の位置が変化する。
【００６０】
次に、図１を用いて、磁石１２と、磁気センサＡおよび磁気センサＢとの配置方法についてさらに説明する。図１は、電子辞書１のＹＺ断面における模式図であり、閉状態およびタブレット状態の場合に、磁気センサＡおよび磁気センサＢが反応する領域を示している。なお、図１では、閉状態の場合の蓋側筐体１０、タッチパネル１１、および磁石１２を実線で、タブレット状態の蓋側筐体１０、タッチパネル１１、および磁石１２を点線で示している。
【００６１】
領域２２ａは、電子辞書１が閉状態の場合に、Ｚ軸の正方向の磁界成分が所定値（磁気センサＡおよび磁気センサＢが反応する閾値）以上である（磁気センサＡおよび磁気センサＢが反応する）領域を示している。一方、領域２２ｂは、電子辞書１がタブレット状態の場合に、Ｚ軸の正方向の磁界成分が所定値以上である（磁気センサＡおよび磁気センサＢが反応する）領域を示している。領域２２ａおよび２２ｂは、磁石１２から生じる磁界（Ｚ軸の正方向の磁界成分）の強さと、磁気センサＡおよび磁気センサＢの検出感度とに基づいて、領域の大きさ（範囲）が規定される３次元の領域である。
【００６２】
ところで、従来の電子機器の構成では、図１２の（ｃ）に示すように、自機の状態を判定するための磁石２１２は、筐体２２０に対し垂直に取り付けられている。そのため、閉じた状態で磁気センサ２２３が反応する領域と、折り畳んだ状態で磁気センサ２２３が反応する領域とは、Ｚ軸方向に延伸して形成される。ゆえに、筐体２２０内で、閉じた状態で磁気センサ２２３が反応する領域と、折り畳んだ状態で磁気センサ２２３が反応する領域とがほぼ重なってしまう。
【００６３】
一方、本実施形態に係る電子辞書１においては、磁石１２は図１に示す通り、Ｚ軸方向に対し角度θ１だけ傾けて配置されている。そのため、領域２２ａと領域２２ｂとは、Ｚ軸方向から角度θ１傾いた状態で形成される。ゆえに、底側筐体２０内で領域２２ａと領域２２ｂとは、図示の通りＹ軸方向にずれて重なる。換言すると、電子辞書１では、底側筐体２０において、以下の３つの領域が形成される。
（１）閉状態において第１磁気センサが反応し、タブレット状態において当該第１磁気センサが反応しない領域（底側筐体２０内で、領域２２ａのうち、領域２２ｂと重複していない領域）
（２）閉状態において第２磁気センサが反応せず、タブレット状態において当該第２磁気センサが反応する領域（底側筐体２０内で、領域２２ｂのうち、領域２２ａと重複していない領域）
（３）閉状態およびタブレット状態において第１磁気センサまたは第２磁気センサが反応する領域（底側筐体２０内で、領域２２ａと領域２２ｂとが重複する領域）
換言すると、（１）の領域は、閉状態においてＺ軸の正方向の磁界成分が第１所定値（第１磁気センサが反応する閾値）以上であり、タブレット状態において上記Ｚ軸の正方向の磁界成分が上記第１所定値未満である領域である。また、（２）の領域は、タブレット状態においてＺ軸の正方向の磁界成分が第２所定値（第２磁気センサが反応する閾値）以上であり、閉状態において上記Ｚ軸の正方向の磁界成分が上記第２所定値未満である領域である。また、（３）の領域は、閉状態およびタブレット状態において、Ｚ軸の正方向の磁界成分が上記第３所定値（第１所定値または第２所定値の大きい方の値）以上である領域である。
【００６４】
なお、第１磁気センサと、第２磁気センサの反応閾値である第１所定値と第２所定値とは、同じであってもよいし、異なっていてもよい。また、本実施形態では、第１磁気センサは磁気センサＡであり、第２磁気センサは磁気センサＢである。
【００６５】
以降、上記（１）の領域を「閉状態検出領域」（第１領域）、（２）の領域を「タブレット状態検出領域」（第２領域）、（３）の領域を「両状態検出領域」（第３領域）と称する。
【００６６】
つまり、上述した図６においては、磁気センサＡを閉状態検出領域に配置し、磁気センサＢをタブレット状態検出領域に配置している。そのため、図７に示したように、電子辞書１が閉状態の場合は磁気センサＡのみが反応し、電子辞書１がタブレット状態の場合は磁気センサＢのみが反応する。
【００６７】
以上の構成から、電子辞書１における磁気センサの配置についてさらに説明する。電子辞書１は、少なくとも上記第１磁気センサおよび上記第２磁気センサが、閉状態検出領域と、タブレット状態検出領域と、両状態検出領域とのうち少なくとも２種の領域内に、別れて配置されるのであれば、磁気センサの種類、基板２２への取付け方向、ならびに基板２２のどちらの面に取付けるかについても、本実施形態で説明する組合せに限定しない。
【００６８】
なお、磁気センサにホールセンサの両センサを用いてもよい。ホールセンサの両センサを用いた場合でも、図７に示す磁気センサの反応の組み合わせが得られる。また、例えば、磁気センサとして、ホールセンサではなく、ＭＲセンサを用いても構わない。
【００６９】
また、磁気センサは、必ずしも磁石軸上に配置しなくてもよいが、当該磁気センサのうち少なくとも１つは、閉状態またはタブレット状態における磁石１２の磁石軸１２ａ上に配置されていることが望ましい。なぜならば、最も磁界が強い位置である磁石軸１２ａ上に磁気センサを配置することにより、閉状態またはタブレット状態において生じる磁界を高精度に検出することができるからである。
【００７０】
また、本実施形態では、磁石１２と磁気センサＡおよび磁気センサＢとは、ＹＺ平面において同一平面に配置されているがこれに限るものではない。上述のように、閉状態検出領域、タブレット状態検出領域、および両状態検出領域は３次元の領域であるため、磁気センサＡおよび磁気センサＢが各領域内に配置されていれば、磁石１２と磁気センサＡと磁気センサＢとは、ＹＺ平面において同一平面になくてもよい、すなわち、Ｘ軸方向において、それぞれ互いにずれていてもよい。
【００７１】
また、磁気センサＡまたはＢのどちらかを、両状態検出領域に配置してもよい。例えば、磁気センサＡを両状態検出領域に配置した場合、閉状態では、磁気センサＡのみがＯＮ信号を出力し、タブレット状態では、磁気センサＡおよびＢがＯＮ信号を出力し、開状態では、磁気センサＡおよびＢが信号を出力しない。
【００７２】
また、磁気センサは、１つの領域に複数配置されていてもよい。さらに、磁気センサは、閉状態検出領域、タブレット状態検出領域、および両状態検出領域の３種の領域全てに配置してもよい。
【００７３】
さらに、磁気センサＡおよび磁気センサＢは基板２２ではなく、底側筐体２０自体に設けられていてもよいし、底側筐体２０の操作面または底面に露出していてもよい。
【００７４】
また、磁石１２は、Ｚ軸に対する傾き（θ１）が、閉状態検出領域、タブレット状態検出領域、および両状態検出領域が生じる程度の傾きになるよう蓋側筐体１０に設置されればよく、磁石の種類や極性方向は特に限定されない。例えば、図１、５〜６では、磁石１２は蓋側筐体１０の表示面側にＳ極、蓋面側にＮ極が位置するように配置されている。しかしながら、磁石１２の極性は、磁気センサＡおよび磁気センサＢの配置、または検出可能な磁力線の向きに応じて反転させてもよい。
【００７５】
このように、本実施形態に係る電子辞書１では、閉状態検出領域と、タブレット状態検出領域と、両状態検出領域のうち２つ以上の領域に、それぞれ１つ以上の磁気センサを配置し、当該磁気センサの反応の組合せに応じて、自機が閉状態であるか、開状態であるか、タブレット状態であるかを判定することができる。なお、本発明では、開状態の判定は必須ではなく、少なくとも閉状態およびタブレット状態を判定できればよい。
【００７６】
≪状態判定処理および状態判定後の機器制御≫
最後に、図８〜９を用いて、電子辞書１が磁気センサＡおよび磁気センサＢを用いて自機の状態を判定する状態判定処理と、電子辞書１が状態判定処理の後に行う機器制御について説明する。図８は、電子辞書１の構成の一例を示すブロック図である。電子辞書１は、上述した磁気センサＡ、磁気センサＢ、キーボード２１、およびタッチパネル１１に加え、制御部１００を備えている。なお、電子辞書１は、通信部、記憶部、音声入力部、音声出力部等の部材を備えていてもよいが、発明の特徴点とは関係がないため当該部材を図示していない。
【００７７】
制御部１００は、電子辞書１を統括的に制御するものである。制御部１００は、機能ブロックとして、センサ情報取得部１１０と、状態判定部１２０と、機能制御部１３０（制御手段）とを備えている。
【００７８】
センサ情報取得部１１０は、磁気センサＡおよび磁気センサＢから出力された信号を取得するものである。ここで、磁気センサＡから出力されたＯＮ信号を信号Ａとし、磁気センサＢから出力されたＯＮ信号を信号Ｂとする。センサ情報取得部１１０は、磁気センサＡおよび磁気センサＢから取得した信号ＡおよびＢを状態判定部１２０に出力する。
【００７９】
状態判定部１２０は、磁気センサＡおよび磁気センサＢから出力された信号に基づいて、電子辞書１が、閉状態、開状態、およびタブレット状態のいずれの状態であるかを判定するものである。具体的には、状態判定部１２０は、センサ情報取得部１１０から信号Ａのみを受信すると、電子辞書１が閉状態であると判定する。また、状態判定部１２０は、信号Ｂのみを受信している場合は、電子辞書１がタブレット状態であると判定する。また、状態判定部１２０は、信号Ａも信号Ｂも受信していない場合は、電子辞書１が開状態であると判定する。そして、状態判定部１２０は、判定結果を機能制御部１３０へと出力する。
【００８０】
なお、状態判定部１２０は、例えば、電子辞書１の電源のＯＮまたはＯＦＦ、および所定の時間間隔等、任意のタイミングにおいて、センサ情報取得部１１０から信号Ａおよび信号Ｂを受信しているか否かに基づき、電子辞書１の状態を判定してもよい。
【００８１】
また、本実施形態の磁気センサＡおよび磁気センサＢの配置では、磁気センサＡおよび磁気センサＢの両方が反応する場合は生じない。つまり、状態判定部１２０が信号Ａおよび信号Ｂの両方を受信する場合は生じない。そのため、状態判定部１２０は、何れの信号を受信したかによって、閉状態、開状態、およびタブレット状態のいずれの状態であるかを判定することができる。
【００８２】
機能制御部１３０は、状態判定部１２０の判定結果に応じて、電子辞書１を構成する各種部材の制御を行うものである。機能制御部１３０は、状態判定部１２０から通知された電子辞書１の状態が閉状態の場合、電子辞書１の電源をＯＦＦにする。また、電子辞書１の状態が開状態の場合、電源をＯＮ状態にするとともに、キーボード２１の操作を有効にする。すなわち、制御部１００において、キーボード２１から送信された入力信号に応じた処理が行われるように制御する。他方、電子辞書１がタブレット状態の場合、電源をＯＮ状態にするとともに、機能制御部１３０は、キーボード２１のうち、電源キー２１ａ以外のキーの操作を無効にする。すなわち、キーボード２１から入力信号が送信されてきた場合でも、当該入力信号に応じた処理を行わないよう制御する。
【００８３】
なお、機能制御部１３０は、自機が閉状態の場合、電子辞書１の電源をＯＦＦにする代わりに、電子辞書１をスリープ状態（休止状態、スタンバイ状態）にしてもよい。また、機能制御部１３０は、電子辞書１がタブレット状態の場合、電源キー２１ａを含むキーボード２１の全てのキーの操作を無効としても良い。
【００８４】
最後に、電子辞書１における状態判定処理および機器制御の処理の流れを説明する。図９は、電子辞書１における状態判定処理および機器制御の流れを示すフローチャートである。
【００８５】
なお、本実施形態では、上述のように、磁気センサＡおよび磁気センサＢの両方が反応する場合は生じないため、ここでは、状態判定部１２０は、取得した信号がＡ信号およびＢ信号のいずれであるか、もしくは信号を取得しないことによって状態を判定する。
【００８６】
電子辞書１の電源がＯＮになると、制御部１００の状態判定部１２０はまず、センサ情報取得部１１０から信号Ａを受信しているか否か（磁気センサＡが反応しているか否か）を判定する（Ｓ１０）。ここで、磁気センサＡが反応している場合（Ｓ１０でＹＥＳ）、状態判定部１２０は、電子辞書１が閉状態であると判定する。そして、機能制御部１３０は、電子辞書１の電源をＯＦＦにする（Ｓ１２）。以降、磁気センサＡが反応している間は（Ｓ１４でＹＥＳ）、電子辞書１の電源はＯＦＦのままである。一方、電源がＯＦＦになった（Ｓ１２）後にセンサ情報取得部１１０が信号Ａを受信しなくなった（磁気センサＡが反応しなくなった）場合（Ｓ１４でＮＯ）、機能制御部１３０は、電子辞書１の電源を再びＯＮにする（Ｓ１６）。
【００８７】
電子辞書１の電源がＯＮされると、状態判定部１２０は続いて、センサ情報取得部１１０から信号Ｂを受信しているか否か（磁気センサＢが反応しているか否か）を判定する（Ｓ１８）。ここで、磁気センサＢが反応していない場合（Ｓ１８でＮＯ）、機能制御部１３０は、電子辞書１が開状態であると判定し、キーボード２１の全てのキーの操作を有効にする（Ｓ２０）。
【００８８】
一方、Ｓ１８にて磁気センサＢが反応している場合（Ｓ１８でＹＥＳ）、機能制御部１３０は、電子辞書１がタブレット状態であると判定し、キーボード２１のうち電源キー２１ａ以外のキーの操作を無効にする（Ｓ２２）。以降、磁気センサＢが反応している間は（Ｓ２４でＹＥＳ）、機能制御部１３０は、Ｓ２２で行ったキー操作無効の状態を維持する。一方、Ｓ１８の判定の後にセンサ情報取得部１１０が信号Ｂを受信しなくなった（磁気センサＢが反応しなくなった）場合（Ｓ２４でＮＯ）、状態判定部１２０は電子辞書１がタブレット状態から開状態へと変化したとする。そして、機能制御部１３０は、キーボード２１の全てのキーの操作を有効にする（Ｓ２０）。
【００８９】
このような状態判定処理および機器制御の処理により、電子辞書１は、閉状態、開状態、およびタブレット状態を判別することができる。したがって、電子辞書１は上記３つの状態それぞれに適した機器制御を行うことができる。
【００９０】
なお、本実施形態では、磁気センサＡおよび磁気センサＢの両方が反応する場合は生じないため、状態判定部１２０は、何れの信号を受信したかによって、閉状態、開状態、およびタブレット状態のいずれの状態であるかを判定しているが、これに限るものではない。
【００９１】
例えば、磁気センサＡ（Ｓセンサまたは両センサ）を閉状態検出領域に配置し、磁気センサＢ（Ｎセンサまたは両センサ）を両状態検出領域に配置した場合、閉状態では、磁気センサＡおよび磁気センサＢが反応し、タブレット状態では、磁気センサＢのみが反応し、開状態では、磁気センサＡおよび磁気センサＢが反応しない。そのため、状態判定部１２０は、磁気センサＡおよび磁気センサＢから出力された信号に基づいて、信号Ａおよび信号Ｂを受信した場合、閉状態であると判定し、信号Ｂのみを受信した場合、タブレット状態であると判定し、信号Ａも信号Ｂも受信しない場合、開状態であると判定する。
【００９２】
このように、状態判定部１２０の判定処理は、磁気センサの種別および磁気センサの配置により変化する磁気センサの反応に応じて、適宜設計すればよい。
【００９３】
〔実施形態２〕
本発明の他の実施形態について説明すれば、以下のとおりである。なお、説明の便宜上、前記実施形態にて説明した部材と同じ機能を有する部材については、同じ符号を付記し、その説明を省略する。以下の他の実施形態においても同様である。
【００９４】
本発明の一態様に係る電子辞書１においては、両状態検出領域は形成されていなくてもよい。すなわち、磁石１２は、閉状態検出領域と、タブレット状態検出領域とが生じる程度に傾けて、蓋側筐体１０に取り付けられていればよい。以下、図１０を用いて本実施形態における磁石１２の配置について説明する。
【００９５】
図１０は、本発明の実施形態２に係る電子辞書における磁石の配置、および当該配置により生じる磁界を示す模式図である。本実施形態では、磁石１２の磁石軸を、Ｚ軸方向に対し角度θ１より大きい角度θ２傾けて磁石１２を筐体内に配置する。本実施形態では、磁石軸をより傾けることにより、実施形態１と異なり、領域２２ａと、領域２２ｂとが、図示の通り重複しない。したがって、本実施形態に係る電子辞書１においては、両状態検出領域は生じず、領域２２ａが閉状態検出領域となり、領域２２ｂがタブレット状態検出領域となる。
【００９６】
このように、両状態検出領域が存在しない場合、電子辞書１は、磁気センサＡおよび磁気センサＢのうち、片方の磁気センサを閉状態検出領域に、他方の磁気センサをタブレット状態検出領域に配置すればよい。これにより、実施形態１の図７にて説明した、磁気センサの反応と電子辞書１の状態との関係と同様の結果が得られる。したがって、電子辞書１は、自機が閉状態、開状態、およびタブレット状態のいずれであるかを判定することができる。
【００９７】
〔実施形態３〕
本発明の実施形態３に係る電子辞書は、磁石を２つ、磁気センサを２つ、および、磁気シールドを１つ備える構成とし、当該２つの磁気センサの反応の有無に応じて自機が閉状態、開状態、タブレット状態のいずれであるかを判断してもよい。以下、図１１を用いて、本実施形態に係る電子辞書２について説明する。
【００９８】
図１１は、電子辞書２のＹＺ断面における断面図であり、磁石１３および磁石１４から生じる磁界と、磁気センサＡおよびＢと、磁気シールドとの位置関係を示す図である。また、図１１の（ａ）は電子辞書２が閉状態の場合を示し、図１１の（ｂ）は電子辞書２がタブレット状態の場合を示す。
【００９９】
本実施形態に係る電子辞書２は、磁石を２つ備え、かつ、一方の磁石の磁石軸上に磁気シールドを備えている点で、実施形態１に係る電子辞書１と異なる。
【０１００】
電子辞書２は図示の通り、蓋側筐体１０に磁石１３および磁石１４を備えている。磁石１３および磁石１４は、実施形態１の磁石１２と同様に、それぞれ自身の周囲に磁界を生じさせるものである。
【０１０１】
磁気センサＡは、閉状態において、磁石１３により生じる磁界を検出するものである。また、磁気センサＢは、閉状態において、磁石１４により生じる磁界を検出するものである。
【０１０２】
電子辞書２はさらに、底側筐体２０に磁気シールド２３を備えている。磁気シールド２３は、磁石１２の磁界を遮断するものである。磁気シールド２３は図示の通り、底側筐体２０において、磁気センサＡの真下（Ｚ軸の負方向側、かつＸＹ平面上での位置が重なる位置）に、基板２２と並行に配置されている。つまり、電子辞書２が閉状態およびタブレット状態の場合、磁石１３と、磁気センサＡと、磁気シールド２３とは、Ｚ軸方向において、同一直線（磁石軸１３ａ）上となるように配置される。
【０１０３】
すなわち、本実施形態では、閉状態またはタブレット状態において、蓋側筐体１０に配置された磁石１３により生じる磁界を検出可能な位置、かつ、底側筐体２０内に磁気センサＡを配置し、蓋側筐体１０に配置された磁石１４により生じる磁界を検出可能な位置、かつ、底側筐体２０内に磁気センサＢを配置する。さらに、磁石１３と磁気センサＡとの間に、磁気シールド２３を配置する。
【０１０４】
なお、磁気シールド２３に代えて、もしくは、加えて、磁石１４と磁気センサＢとの間に磁気シールドを配置してもよい。本実施形態では、磁気シールドは、底側筐体２０に配置されているが、蓋側筐体１０に配置されていてもよい。
【０１０５】
次に、電子辞書２が閉状態の場合の磁気センサＡおよび磁気センサＢの反応と、電子辞書２がタブレット状態の場合の磁気センサＡおよび磁気センサＢの反応とを説明する。
【０１０６】
図１１の（ａ）に示すように、電子辞書２が閉状態の場合、磁気センサＡおよび磁気センサＢの両方が磁界を検出してＯＮ信号を出力する。
【０１０７】
一方、図１１の（ｂ）に示すように、電子辞書２がタブレット状態の場合、磁石１３は、磁気シールド２３の下側（Ｚ軸の負方向側）に位置する。ゆえに、磁石１３から生じる磁界は、磁気シールド２３によって遮断されるため、磁気センサＡ上で磁石１３による磁界が生じない。一方、磁石１４の磁界は、図１１の（ａ）の場合と同様に、磁気センサＢ上に生じる。したがって、電子辞書２がタブレット状態の場合、磁気センサＢのみが磁界を検知検出してＯＮ信号を出力する。
【０１０８】
なお、電子辞書２が開状態の場合は、実施形態１と同様に、蓋側筐体１０と底側筐体２０とが離れてしまうので、磁気センサＡも磁気センサＢも磁界を検出せず、信号を出力しない。
【０１０９】
そのため、磁気センサＡおよびＢから出力される信号に基づいて、閉状態、開状態およびタブレット状態を判別することができる。具体的には、状態判定部１２０は、磁気センサＡおよびＢからＯＮ信号が出力された場合、電子辞書２は閉状態であると判定し、磁気センサＢのみからＯＮ信号が出力された場合、電子辞書２はタブレット状態であると判定し、磁気センサＡおよびＢから信号が出力されなかった場合、電子辞書２は開状態であると判定する。
【０１１０】
また、磁気センサＡおよび磁気センサＢは、底側筐体２０の内部であり、磁気シールド２３の影響がない場合に、磁石１３および磁石１４の磁界を検出可能な領域内であれば、基板２２以外に配置してもよい。
【０１１１】
〔実施形態４〕
本発明に係る電子辞書は、自機の状態に応じて表示部における画像の表示方向を決定してもよい。従来、縦横センサ等を用いて筐体の回転移動を判別する電子機器が開発されている（特許文献２）。一方、本発明は、上記実施形態１〜３に記載したように電子辞書の開状態、閉状態、およびタブレット状態を検出することができるので、当該検出した状態に応じて表示方向を決定することができるという利点を持つ。以下、本発明の実施形態４に係る電子辞書３を、図１３および図１４を用いて説明する。
【０１１２】
図１３は本発明に係る電子辞書３の要部構成を示す図である。なお、図１３には図８のブロック図にて説明した構成の他、実施形態４〜６にて説明する各部材を記載している。以降、図１３において新たに設けられた部材については、各実施形態において必要な構成のみを説明することとする。
【０１１３】
電子辞書３の機能制御部１３０は、表示制御部１３２（表示制御手段）を備えていてもよい。表示制御部１３２は、状態判定部１２０が判定した電子辞書３の状態に応じた表示方向で、タッチパネル１１の表示部に画像を表示させる。表示制御部１３２は、少なくとも電子辞書３が開状態である場合とタブレット状態である場合とで異なる表示方向で画像を表示させる。なお、本実施形態では一例として、電子辞書３が開状態の場合は表示部に画像を横方向（図１４におけるＸ軸方向）で表示させ、電子辞書３がタブレット状態の場合は表示部に画像を縦方向（図１４におけるＹ軸方向）で表示させることとする。なお、表示制御部１３２は少なくとも、画像を縦方向で表示するか横方向で表示するかを決定できればよいが、さらに画像の上下方向の表示方向について決定できてもよい。
【０１１４】
図１４の（ａ）は、電子辞書３が開状態の場合と、タブレット状態の場合の、画像の表示方向を示す図である。図示の通り、開状態の電子辞書３の表示部では、画像が横方向に表示されている。ここで、ユーザがヒンジ３０を中心に蓋側筐体１０または底側筐体２０を回動させて電子辞書３を開状態からタブレット状態にすると、状態判定部１２０はセンサ情報取得部１１０から取得した情報に基づき、電子辞書３の状態がタブレット状態であると判定する。表示制御部１３２は当該判定結果に応じて表示部の画像の表示方向を「縦方向」と決定する。
【０１１５】
なお、電子辞書３がタブレット状態から開状態になる場合も、電子辞書３の各部材は上述した処理と同様の方法で処理を行う。したがってこの場合、表示制御部１３２は画像の表示方向を開状態に応じた表示方向、すなわち「横方向」と決定する。なお、表示制御部１３２は、状態判定部１２０が電子辞書３の状態を閉状態であると判定した場合は、表示部に画像を表示しないようにしてもよいし、実施形態１にて説明したように電源をＯＦＦ状態にしてもよい。
【０１１６】
また、表示制御部１３２において、電子辞書３の状態に応じて画像の表示方向を変更する（電子辞書３の状態と画像の表示方向とを連動させる）か否かは、ユーザが自由に設定可能であってもよい。例えば、電子辞書３の状態と画像の表示方向とを連動させるか否かの設定を、図示しない記憶部などに記憶させておいてもよい。この場合、表示制御部１３２は、タッチパネル１１の表示部に画像を表示させる際に、当該記憶部に記憶されている上記設定を参照し、表示方向を連動させる設定である場合に電子辞書３の状態に応じて画像の表示方向を変更すればよい。
【０１１７】
さらに、表示制御部１３２が表示方向を決定した後、ユーザが表示方向の切替え（例えば、縦方向での表示と横方向での表示との切替え）を指示する所定の操作を行った場合、表示制御部１３２は当該所定の操作を受けて表示部における画像の表示方向を変更してもよい。
【０１１８】
なお、表示制御部１３２は、電子辞書３の状態が変化してから（すなわち、状態判定部１２０から電子辞書３の状態の判定結果を受信してから）所定時間が経過した後に画像の表示方向を切替えてもよい。ここで、上記所定時間は、例えば電子辞書３の状態が確定する（ユーザが、電子辞書３をどのような状態で使用するかを決定する）のに十分な時間と予測できる時間に設定されることが望ましい。上記所定時間は例えば制御部１００のクロックなどに基づいて計測される。また、電子辞書３が時計機能を有している場合は、当該時計機能で計時した時刻に基づいて上記所定時間を計測してもよい。さらに表示制御部１３２は、上記所定時間を計測中に電子辞書３の状態が変化した場合（すなわち、計測中に状態判定部１２０が計測開始時と異なる判定を下した場合）、上記所定時間をリセットしてもよい。
【０１１９】
ここで、電子辞書３の状態が変化してから画像の表示方向の変更まで所定時間を空けるという事は、ユーザが変化後の電子辞書３の状態で電子辞書３を使用することを決定したとみなすことができる。そのため、上述した構成とすることにより、ユーザが電子辞書３の蓋側筐体１０または底側筐体２０を誤って回動させ、電子辞書３の状態が瞬間的に変化してしまったような場合（ユーザが、電子辞書３をどの状態で使うかまだ決めていない段階）において、画像の表示方向が目まぐるしく変わることを防ぐことができる。
【０１２０】
また、表示制御部１３２は、ユーザが所定の操作を行った場合に、または所定の操作を行っている間に、電子辞書３の状態がタブレット状態と開状態との間で変化した場合は、画像の表示方向を切替えなくてもよい。すなわち、画像の表示方向を、変化する前の電子辞書３の状態に応じた表示方向のまま維持してもよい。なお、「所定の操作」とは電子辞書３が検出可能な操作であればどのような操作であってもよい。本実施形態では一例として、タッチパネル１１にタッチすることを上記所定の操作であるとして説明する。しかしながら、上記所定の操作は、例えば所定のボタンを押下するなどキーボード２１に対し行われる操作であってもよいし、電子辞書３がその他の入力装置を備えている場合は、当該入力装置からの入力であってもよい。
【０１２１】
図１４の（ｂ）は、タッチパネル１１にタッチしながら電子辞書３の状態を変化させた場合の、画像の表示方向を示す図である。図示の通り、タッチパネル１１にタッチしながら電子辞書３を開状態からタブレット状態（またはタブレット状態から開状態）に変化させた場合、タッチパネル１１は当該タッチを検出し当該タッチを示す信号を制御部１００（操作検出手段）に送信する。制御部１００は上記信号を受信すると、機能制御部１３０の表示制御部１３２に対し、表示部の画像の表示方向を維持する（変更しない）ように指示する。これにより、上記タッチが行われている間に電子辞書３の状態がタブレット状態に変化しても、表示方向は開状態の時の表示方向（横方向）のままとなる。
【０１２２】
なお、制御部１００は、タッチパネル１１へのタッチを検出し、かつ当該タッチの後一定時間内に電子辞書３の状態が変化した場合も、上述した処理と同様の処理を行ってもよい。表示制御部１３２は、電子辞書３の状態を変化させた後にユーザが所定の操作を止めた場合、状態変化後の電子辞書３の状態に応じて画像の表示方向を変更してもよいし、状態変化前の電子辞書３の状態に応じた表示方向のままとしてもよい。例えば、図４の（ｂ）にてユーザがタッチパネル１１にタッチしながら電子辞書３を開状態からタブレット状態にし、その後タッチパネル１１から指を離した場合、表示制御部１３２は画像の表示方向をタブレット状態に合わせて縦方向に変更してもよいし、状態変化前（開状態）に合わせて横方向の表示のままとしてもよい。
【０１２３】
以上で説明したように、表示部の画像の表示方向を維持するため行う「所定の操作（タッチパネル１１へのタッチ）」は、通常ユーザが通常蓋側筐体１０や底側筐体２０を回動させ電子辞書３の状態を変化させた場合は、行わない操作である。換言すると、上記所定の操作は、ユーザが表示部の表示方向を変えないまま電子辞書３の状態を変えるために意図的に行う操作である。したがって上記構成によると、電子辞書３はこのようなユーザの意図的な操作（表示方向を変えないまま電子辞書３の状態を変更するという指示）を検出することにより、ユーザの所望する表示方向で画像を表示させることができる。
【０１２４】
〔実施形態５〕
また、本発明に係る電子辞書３はマイクおよびスピーカの少なくともいずれかを備えていてもよく、電子辞書３がタブレット状態である場合と開状態である場合とでマイクの入力レベルおよびスピーカの出力レベルの少なくともいずれかを変更してもよい。
【０１２５】
ここで、入力レベルとは、マイクの音声検出感度（ゲイン）、検出した音声の増幅レベル（ボリューム）、またはこれらの組み合わせである。また、上記出力レベルは、スピーカに入力される信号の強度、スピーカ自体のボリューム、またはこれらの組み合わせである。
【０１２６】
本実施形態に係る電子辞書３は、図１３に示すマイク（音声入力部）３１およびスピーカ（音声出力部）４１の少なくともいずれかと、音声入出力制御部１３３（音声入出力制御手段）とを備えている。マイク３１は、電子辞書３に対し音声を入力するための音声入力部であり、スピーカ４１は、電子辞書３から音声を出力するための音声出力部である。音声入出力制御部１３３は、状態判定部１２０が判定した電子辞書３の状態に応じてマイク３１の入力レベルおよびスピーカ４１の出力レベルの少なくともいずれかを変更させる。
【０１２７】
図１５の（ａ）は、電子辞書３が開状態の場合のマイク３１およびスピーカ４１の位置関係を示している。図１５の（ｂ）および（ｃ）は電子辞書３がタブレット状態の場合のマイク３１およびスピーカ４１の位置関係を示している。なお、（ａ）〜（ｃ）における矢印は、ユーザの目線の方向を示している。
【０１２８】
図示した例では、マイク３１は電子辞書３の底側筐体２０の側面に設けられており、スピーカ４１はヒンジ３０の中央に設けられている。すなわち、電子辞書３が開状態の場合、マイク３１およびスピーカ４１はユーザの顔がある方向（ユーザの目線の元）に向いて位置している（図１５の（ａ））。一方、電子辞書３がタブレット状態の場合は、ユーザが電子辞書３を縦に持っても（図１５の（ｂ））横に持っても（図１５の（ｃ））、マイク３１およびスピーカ４１はユーザの顔が存在する方向と異なる方向に位置することとなる。
【０１２９】
このように、マイク３１およびスピーカ４１がユーザの顔が存在する方向と異なる方向に向けられている場合、スピーカ４１からの出力音声が小さく聞こえたり、マイク３１により録音を行ってもユーザの声が小さくしか録音できない虞がある。そのため、図１５に示す例の場合、音声入出力制御部１３３は、電子辞書３がタブレット状態のときは、電子辞書３が開状態のときに比べ、マイク３１の入力レベルおよびスピーカ４１の出力レベルを増幅させればよい。
【０１３０】
〔実施形態６〕
本実施形態に係る電子辞書３は、自装置において所定の機能を実行しているか否かを監視していてもよい。ここで、「所定の機能」は特に限定しないが、具体的には写真をスライドショーでタッチパネル１１に表示することにより、電子辞書３をフォトフレームのように使用する機能（フォトフレーム機能）、動画を再生する機能などを示す。なお、上記所定の機能は、キーボード２１の入力操作を伴わない、またはキーボード２１の入力操作以外の操作（タッチパネル１１へのタッチなど）で操作可能な機能であることが望ましい。
【０１３１】
以下、電子辞書３において所定の機能を実行中であるか否かに応じたキーボード２１の入力制御について、図１３および１６を用いて説明する、なお、以降は上記所定の機能が「フォトフレーム機能」である場合を一例として説明する。また、当該フォトフレーム機能を実行中の場合の電子辞書３の状態を「フォトフレームモード」と称する。
【０１３２】
まず、図１３を参照して本実施形態に係る電子辞書３の構成について説明する。本実施形態に係る電子辞書３は、フォトフレーム機能制御部１３４と、入力制御部１３１とを備えている点で上記実施形態と異なる。
【０１３３】
フォトフレーム機能制御部１３４は、電子辞書３においてフォトフレーム機能が実行中であるか否か、すなわち、電子辞書３がフォトフレームモードであるか否かを判定するものである。フォトフレーム機能制御部１３４は、電子辞書３においてフォトフレーム機能を担うプログラムが起動すると、電子辞書３がフォトフレームモードに移行したことを入力制御部１３１に通知する。なお、フォトフレーム機能は、ユーザの所定の操作等により終了もしくは中断可能なものとする。例えば、制御部１００は、ユーザがタッチパネル１１をタッチした場合などに、フォトフレーム機能を終了させればよい。
【０１３４】
入力制御部１３１（第１入力無効化手段）は、状態判定部１２０の判定結果に応じてキーボード２１の操作を有効化または無効化する。図１６の（ａ）は、入力制御部１３１におけるキーボード２１の有効化および無効化処理を示すフローチャートである。入力制御部１３１は、状態判定部１２０から電子辞書３の状態が閉状態、開状態、タブレット状態のいずれであるかを通知されると、電子辞書３の状態がタブレット状態または閉状態の場合（Ｓ４０で「タブレット状態（または閉状態）」）は、キーボード２１の入力を無効とする（Ｓ４６）。一方、入力制御部１３１は、電子辞書３の状態が開状態の場合（Ｓ４０で「開状態」）は、キーボード２１の入力を有効とする（Ｓ４４）。
【０１３５】
さらに、入力制御部１３１は、電子辞書３の状態がタブレット状態から別の状態に変化した場合でも、電子辞書３がフォトフレームモードである場合は、例外的にキーボード２１の入力を無効のまま維持してもよい。
【０１３６】
図１６の（ｂ）は、入力制御部１３１におけるキーボード２１の有効化および無効化処理の変形例を示すフローチャートである。当該変形例の場合、入力制御部１３１は、状態判定部１２０から電子辞書３の状態を通知されると、まず電子辞書３の状態がタブレット状態であるか否かを判定する（Ｓ６０）。電子辞書３がタブレット状態である場合（Ｓ６０でＹＥＳ）、入力制御部１３１は次に、電子辞書３がフォトフレームモードであるか否か、フォトフレーム機能制御部１３４の判定結果を参照する（Ｓ６２）。なお、ここで電子辞書３がタブレット状態でない場合（Ｓ６０でＮＯ）または電子辞書３がフォトフレームモードでない場合（Ｓ６２でＮＯ）は、入力制御部１３１は、図１６の（ａ）に示したキーボード２１の入力有効化および無効化判定処理を行う（Ｓ９０）。
【０１３７】
電子辞書３がフォトフレームモードである場合（Ｓ６２でＹＥＳ）、電子辞書３はタブレット状態で、フォトフレーム機能を実行中である。ここで、ユーザの操作などにより、電子辞書３の状態が変化させられ、状態判定部１２０が当該状態変化を検出したとする（Ｓ６４でＹＥＳ）。この場合、入力制御部１３１は、図１６の（ａ）にて説明したキーボード２１の入力の有効化および無効化処理は行わず、キーボード２１の入力の無効を維持する（Ｓ６６）。なお、フォトフレームモード中に電子辞書３の状態変化が起こらない場合（Ｓ６４でＮＯ）は、入力制御部１３１は特段の処理は行わない。
【０１３８】
このように、電子辞書３がタブレット状態でフォトフレームモードになった場合、入力制御部１３１は、キーボード２１の入力の無効を維持する。この状態で制御部１００がタッチパネル１１に対するタッチ操作を検出すると（Ｓ６８でＹＥＳ）、制御部１００は、フォトフレーム機能を終了させる、すなわち、フォトフレームモードを解除する（Ｓ７０）。なお、タッチパネル１１に対するタッチ操作を検出しない間（Ｓ６８でＮＯ）は、制御部１００は、フォトフレーム機能を動作させ続ける。フォトフレームモードが解除されると、入力制御部１３１はキーボード２１の入力有効化および無効化判定処理を行う（Ｓ９０）。
【０１３９】
一般的に、電子辞書３でフォトフレームモードのように、画像や動画の閲覧など、ユーザの操作をあまり伴わない機能を動作させている間は、ユーザがキーボード２１から入力操作を行う可能性は低いと考えられる。また、タブレット状態のように、元々キーボード２１が無効化されている状態で上述のようなユーザの操作をあまり伴わない機能を動作させている場合、ユーザがキーボード２１から入力操作を行う可能性はさらに低下すると考えられる。
【０１４０】
したがって、以上の処理のように、タブレット状態で特定機能が動作している場合はキーボード２１の無効を維持することにより、ユーザが誤って電子辞書３を動かした場合などの入力の誤認識を防ぐことができ、ユーザの利便性が向上する。
【０１４１】
〔実施形態７〕
近年、蓋側の筐体を底側の筐体の背面側に折り畳み可能な電子機器が開発されている。そして、上記折り畳み可能な電子機器の中には、蓋側の筐体が底側の筐体に対して略３６０度回動可能なように設計されているものもある。
【０１４２】
このように、蓋側の筐体が底側の筐体に対して略３６０度回動可能な電子機器の場合、ユーザは蓋側の筐体２１０を様々な角度に開いた状態で、当該電子機器を使用することができる。例えば、ユーザは図１２の（ｂ）の状態から蓋側の筐体２１０をさらに回動させるとともに電子機器２００を上下逆に返した状態で、電子機器２００を使用することができる。この場合、底側の筐体２２０の上側（Ｚ軸の正方向側）の面が電子機器２００を支持する面となる。
【０１４３】
しかしながら、従来の電子機器２００では、電子機器２００（蓋側の筐体２１０）が開いていることは検知できても、蓋側の筐体２１０の或る面と底側の筐体２２０の或る面との位置関係は判別できない。具体的には、電子機器２００は、蓋側の筐体２１０と底側の筐体２２０との開き具合や、底側の筐体２２０のいずれの面が電子機器２００を支持する面（地面や台に接触する面）となっているかを判別することはできない。
【０１４４】
本実施形態に係る電子辞書は、上記問題点を鑑みた電子辞書であり、蓋側の筐体の或る面と底側の筐体の或る面との位置関係を判別可能な電子辞書である。
【０１４５】
本実施形態に係る電子辞書３は、自装置がフォトフレーム状態であるか否かを区別可能であってもよい。
【０１４６】
「フォトフレーム状態」とは、蓋側筐体１０のタッチパネル１１が配された面と、底側筐体２０のキーボード２１が配された面とのなす角度が１８０度より大きく３６０度以下である状態を示す。なお、上記角度は、蓋側筐体１０が底側筐体２０のＺ軸の正方向側に、かつ、底側筐体２０と互いに重畳して折り畳まれた状態（タッチパネル１１とキーボード２１とが略平行に対向する状態、図２および後述する図１８の（ａ））のときの角度を０度と規定した場合の角度である。以降、当該角度のことを単に「蓋側筐体１０と底側筐体２０とのなす角度」と記載する。
【０１４７】
以下、本発明の実施形態７に係る電子辞書３について図１７〜２０を用いて説明する。まず始めに、本実施形態に係る電子辞書３の構成について図１７を用いて説明する。図１７は、本実施形態に係る電子辞書３の要部構成を示す図である。本実施形態に係る電子辞書３は、図示の通り状態検出センサＣ（第４状態検出部）と、第２センサ情報取得部１４０と、状態判定部１５０と、入力制御部１３１（第２入力無効化手段）とを少なくとも備える。
【０１４８】
状態検出センサＣは、電子辞書３がフォトフレーム状態である場合と、フォトフレーム状態でない場合とでそれぞれ異なる（区別可能な）信号を検出するセンサである。状態検出センサＣが具体的にどのようなセンサであるかは後で詳述する。状態検出センサＣは検出した信号を制御部１００の第２センサ情報取得部１４０へと出力する。第２センサ情報取得部１４０は、状態検出センサＣが出力した信号を取得し、状態判定部１５０へ出力する。
【０１４９】
状態判定部１５０は、第２センサ情報取得部１４０が取得した状態検出センサＣの出力信号を受信し、当該信号から電子辞書３の状態がフォトフレーム状態であるか否かを判定する。状態判定部１５０がフォトフレーム状態を判定する処理については後で具体的に説明する。状態判定部１５０の判定結果は、機能制御部１３０に出力される。
【０１５０】
本実施形態に係る機能制御部１３０は、少なくとも入力制御部１３１を備えている。入力制御部１３１（入力無効化手段）は、状態判定部１５０の判定結果に応じてキーボード２１の操作を有効とするか無効とするかを決定する。入力制御部１３１は、状態判定部１５０が電子辞書３の状態をフォトフレーム状態と判定した場合、キーボード２１の操作を無効とする。一方、入力制御部１３１は、状態判定部１５０が電子辞書３の状態をフォトフレーム状態でないと判定した場合、キーボード２１の操作を有効とする。
【０１５１】
なお、本実施形態に係る電子辞書３は、図示の通り、表示制御部１３２、音声入出力制御部１３３、フォトフレーム機能制御部１３４、マイク３１、およびスピーカ４１を備えていてもよい。この場合、各部材は実施形態１〜６にて説明した機能と同様の機能を備えていればよい。
【０１５２】
本実施形態に係る電子辞書は、上述のフォトフレーム状態を区別して検出する構成であって、さらに実施形態１〜６において説明したように、自装置の閉状態、開状態、およびタブレット状態の３状態を区別して検出する構成であることが望ましい。以下、本実施形態における電子辞書３が、閉状態、開状態、タブレット状態、およびフォトフレーム状態の４状態を区別して検出する場合の電子辞書３の構成および処理について、図１７および１８を用いて説明する。
【０１５３】
本実施形態における電子辞書３は、閉状態、開状態、タブレット状態、およびフォトフレーム状態を区別して検出する場合、図１７に示す磁気センサＡおよびＢ、ならびにセンサ情報取得部１１０を備える。なお、これらの部材は実施形態１〜６にて説明した機能と同様の機能を備えていればよい。
【０１５４】
また、電子辞書３が磁気センサＡ、磁気センサＢ、およびセンサ情報取得部１１０を備える場合、状態判定部１５０は上記状態検出センサＣの出力信号と、センサ情報取得部１１０が取得した磁気センサＡおよび磁気センサＢの出力信号とから、電子辞書３の状態が閉状態、開状態、フォトフレーム状態、およびタブレット状態のいずれであるかを判定すればよい。
【０１５５】
さらに、入力制御部１３１は状態判定部１５０が電子辞書３の状態をタブレット状態と判定した場合、キーボード２１の操作を無効としてもよい。また、入力制御部１３１は状態判定部１５０が電子辞書３の状態を閉状態と判定した場合、キーボード２１を無効とする、もしくは電子辞書３自体の電源をＯＦＦ状態としてもよい。
【０１５６】
図１８は、本実施形態における電子辞書３がとり得る４状態（閉状態、開状態、タブレット状態、およびフォトフレーム状態）と、上記４状態におけるキーボード２１の操作の有効または無効の設定とを示す図である。
【０１５７】
電子辞書３は、蓋側筐体１０（または底側筐体２０）をヒンジ３０を中心に回動させていくことにより、閉状態（図１８の（ａ））から、開状態（図１８の（ｂ））、フォトフレーム状態（図１８の（ｃ））、タブレット状態（図１８の（ｄ））の順に状態遷移する。このように、電子辞書３が上記４状態を区別して検出する構成の場合、「フォトフレーム状態」は開状態のうちの一状態である。なお、電子辞書３が上記４状態を区別して検出する場合、蓋側筐体１０と底側筐体２０とのなす角度が３６０度のときはタブレット状態である。したがって、上記４状態を区別して検出する場合、フォトフレーム状態は開状態の一部であり、かつ上記角度が１８０度より大きく３６０度未満の状態を示す。
【０１５８】
図１８の（ｃ）および（ｄ）に示す通り、電子辞書３がフォトフレーム状態またはタブレット状態である場合、キーボード２１の配された面は、電子辞書３の外側にあたる。そのため、電子辞書３がフォトフレーム状態またはタブレット状態である場合、ユーザが電子辞書３を手に持つと、キーボード２１が当該ユーザの手指（電子辞書３を支持する指）と接触する可能性が高い。あるいは、電子辞書３がフォトフレーム状態またはタブレット状態である場合に、電子辞書３を机などに置くと、キーボード２１が当該机などに接触する可能性が高い。
【０１５９】
このように、電子辞書３がフォトフレーム状態またはタブレット状態である場合、キーボード２１に対し、意図しない接触（誤操作）が起こり得る。本実施形態に係る電子辞書３は、状態判定部１５０が電子辞書３の状態をフォトフレーム状態またはタブレット状態と判定した場合、キーボード２１を無効とすることで、上述した意図しない接触をキーボード２１に対する操作と誤認識することを防ぐことができる。
【０１６０】
状態検出センサＣは、例えば蓋側筐体１０と底側筐体２０とのなす角度を検出する角度検出センサであってもよい。角度検出センサを、ヒンジ３０等に内蔵することにより、ヒンジ３０の回転角度から蓋側筐体１０と底側筐体２０とのなす角度を検出することができる。
【０１６１】
状態判定部１５０は、第２センサ情報取得部から角度検出センサの出力信号、すなわち角度を示す情報を受信すると、当該角度が１８０度より大きい場合は、電子辞書３がフォトフレーム状態であると判定し、角度が１８０度以下である場合は、電子辞書３はフォトフレーム状態でないと判定する。
【０１６２】
なお、状態判定部１５０が磁気センサＡおよび磁気センサＢの出力結果から閉状態、開状態、およびタブレット状態を判定可能な構成である場合、状態判定部１５０は、まず電子辞書３が（フォトフレーム状態を含んでいる）開状態であるか否かを判定し、開状態である場合は、さらに角度検出センサの出力結果（角度）に応じて電子辞書３がフォトフレーム状態であるか否かを判定すればよい。
【０１６３】
さらに、状態判定部１５０は、上記角度検出センサを用いて閉状態、開状態、フォトフレーム状態、およびタブレット状態を判定してもよい。具体的には、状態判定部１５０は、角度検出センサが検出した角度が略０度（予め定めた角度（例えば５度）以下）である場合は電子辞書３を閉状態と判定し、角度が略０度より大きく１８０度以下である場合は電子辞書３を開状態と判定し、角度が１８０度より大きく略３６０度（または予め定めた角度（例えば３６０度））未満である場合は電子辞書３をフォトフレーム状態と判定し、角度が略３６０度の場合は電子辞書３をタブレット状態であると判定してもよい。
【０１６４】
また、状態検出センサＣは、磁気センサであってもよい。この場合、電子辞書３は、状態検出センサＣとしての磁気センサ（以下、磁気センサＣと称する）と、磁気センサＣが検出するための磁界を生み出す磁石とを少なくとも１つずつ備える。
【０１６５】
磁気センサＣは、ホールセンサやＭＲセンサ等、所定の方向成分の磁界を検出可能なセンサである。本実施形態において磁気センサＣは、所定の閾値以上の磁界を検出した場合に、磁界を検出したことを示すＯＮ信号を、第２センサ情報取得部１４０へと送信する。磁気センサＣと磁石とは、少なくとも、蓋側筐体１０または底側筐体２０のいずれか一方と、ヒンジ３０とに備えられる。なお、蓋側筐体１０または底側筐体２０とヒンジ３０とのいずれに磁石を配置するかは特に限定されない。
【０１６６】
以下、磁気センサＣと磁石とを用いたフォトフレーム状態の検出方法について図１９を用いて説明する。図１９の（ａ）〜（ｇ）は磁気センサＣおよび磁石１５を配置した電子辞書３のＹＺ平面における断面図であり、蓋側筐体１０と底側筐体２０とのなす角度と、磁気センサＣの検出結果（信号出力のＯＮ／ＯＦＦ）とを示した図である。なお、磁気センサＣに付した矢印は磁気センサＣが検出可能な磁界の方向成分を示しており、磁石１５を通過する矢印は磁石１５のＮ極からＳ極へと向かう磁力線の向きを示している。
【０１６７】
電子辞書３の蓋側筐体１０と底側筐体２０とのなす角度が略０度〜１８０度以下である場合、図１９の（ａ）〜（ｃ）に示すように、磁石１５の磁界は、磁気センサＣの検出可能な磁界の方向成分を含まない。したがって、磁気センサＣは反応せず信号を出力しない（ＯＦＦ）。
【０１６８】
一方、電子辞書３の蓋側筐体１０と底側筐体２０とのなす角度が１８０度より大きく２７０度未満の場合、すなわち図１９の（ｃ）〜（ｅ）に示すように蓋側筐体１０を回動させた場合、蓋側筐体１０と底側筐体２０とのなす角度が大きくなるにつれ、磁石１５の磁界が、磁気センサＣの検出可能な磁界の方向成分を多く含むようになり、上記角度が２７０度の場合は、磁石１５の磁界が、磁気センサＣの方向成分を最も多く含む。そして、図１９の（ｅ）〜（ｇ）に示すように、上記角度が２７０度以上の場合は、磁石１５の磁力線の向きは、磁気センサＣの検出可能な磁界の方向成分を最も多く含む。
【０１６９】
このように、蓋側筐体１０と底側筐体２０とのなす角度が１８０度より大きく３６０度以下である場合、磁石１５の磁界は磁気センサＣの検出可能な磁界成分を含んでいる。したがって、この場合、磁気センサＣは所定の方向成分の磁界を検出し、ＯＮ信号を出力する。
【０１７０】
磁気センサＣは所定の方向成分の磁界を検出すると、ＯＮ信号を第２センサ情報取得部１４０へと送信し、第２センサ情報取得部１４０はＯＮ信号を取得したことを状態判定部１５０に通知する。
【０１７１】
状態判定部１５０は、第２センサ情報取得部１４０から磁気センサＣのＯＮ信号を受信した場合は、電子辞書３がフォトフレーム状態であると判定し、ＯＮ信号を受信しなかった場合は電子辞書３がフォトフレーム状態でないと判定する。
【０１７２】
なお、磁気センサＣの検出感度は変更可能であってもよい。磁気センサＣの検出感度が変更可能な場合、磁気センサＣはどの程度の強度の磁界（所定の方向成分の磁界）に反応しＯＮ信号を出力するかを調節することができる。
【０１７３】
また、状態判定部１５０は、センサ情報取得部１１０から磁気センサＡおよびＢの出力信号を取得できる場合は、当該出力信号を加味して電子辞書３の状態を判定してもよい。例えば、状態判定部１５０は、磁気センサＡおよびＢの出力信号から、電子辞書３が閉状態か、開状態か、タブレット状態かをまず判定し、電子辞書３が開状態である場合、磁気センサＣからＯＮ信号を受信したか否かに応じて、電子辞書３が（開状態のうち、特に）フォトフレーム状態であるか、それとも開状態であるかを判定すればよい。
【０１７４】
また、状態検出センサＣは、加速度センサであってもよい。この場合、電子辞書３は蓋側筐体１０、底側筐体２０、およびヒンジ３０（支持部）の少なくともいずれかに少なくとも１つの加速度センサ（以降、加速度センサＣと称する）を備えていればよい。加速度センサＣは、当該センサが配された筐体の向きを検出するものである。以降は一例として、加速度センサＣが底側筐体２０に、キーボード２１がある側を正位置として配されているものとして説明する。
【０１７５】
図２０の（ａ）および（ｂ）は、底側筐体２０に加速度センサを配置した電子辞書３のＹＺ平面における断面図であり、底側筐体２０の向きと、加速度センサの検出結果（底側筐体２０の向き）とを示した図である。状態判定部１５０は、第２センサ情報取得部１４０から、上記加速度センサの検出結果を受信する。図２０の（ａ）の場合、加速度センサＣの検出結果は、底側筐体２０（キーボード２１）が上向き（Ｚ軸の正方向と同じ向き）であることを示す。そして、状態判定部１５０は、加速度センサの検出結果からフォトフレーム状態で使用されていないと判定する。一方、加速度センサＣの検出の結果、底側筐体２０（キーボード２１）が下向き（Ｚ軸の負方向向き）である場合、状態判定部１５０は、電子辞書３がフォトフレーム状態であると判定する。さらに状態判定部１５０は、加速度センサＣの検出の結果、底側筐体２０（キーボード２１）が下向き（Ｚ軸の負方向向き）である場合は、磁気センサＡおよびＢの検出結果と合わせて、電子辞書３がフォトフレーム状態であるのか、タブレット状態であるのかを更に判定しても良い。
【０１７６】
なお、加速度センサＣは、蓋側筐体１０と底側筐体２０とにそれぞれ１つずつ配置してもよい。この場合、状態判定部１５０は、加速度センサＣ１およびＣ２それぞれの検出結果から、底側筐体２０の向きに加えて電子辞書３の蓋側筐体１０（タッチパネル１１）が上向き（Ｚ軸の正方向向き）か下向きか（Ｚ軸の負方向向き）を特定することができる。上述のように加速度センサＣ１およびＣ２を備える場合、状態判定部１５０は、例えば図２０の（ｂ）に示すように、蓋側筐体１０を１８０度回動させ、底側筐体２０とを略平面上に並べた（キーボード２１とタッチパネル１１とが略水平に並んだ）状態（水平状態と称する）を検出した場合は、入力制御部１３１に対し、電子辞書３が水平状態であることを通知してもよい。そして、入力制御部１３１は、状態判定部１５０が電子辞書３が水平状態であると判定した場合は、キーボード入力を有効としてもよい。
【０１７７】
ユーザは、例えば寝転んで電子辞書３を操作する場合、電子辞書３を水平状態にすると考えられる。そして水平状態の場合、タッチパネル１１（表示部）とキーボード２１は同じ面にあり、ユーザが水平状態のままキーボード２１を利用する可能性がある。したがって、このような水平状態を検出し、当該状態に合わせてキーボードを有効化することにより、ユーザが電子辞書３を利用する際の意図を汲んだ入力制御を行うことができる。
【０１７８】
なお、本実施形態に係る電子辞書３は、少なくとも、蓋側筐体１０と底側筐体２０とのなす角度が２７０度以上３６０度以下である状態をフォトフレーム状態として検出することが可能な構成であればよい。換言すると、本実施形態に係る電子辞書３の状態判定部１５０は、蓋側筐体１０と底側筐体２０とのなす角度が１８０度より大きく２７０度未満である状態については、フォトフレーム状態であると判定してもよいし、フォトフレーム状態でないと判定してもよい。
【０１７９】
以下、蓋側筐体１０と底側筐体２０とのなす角度が２７０度以上３６０度以下である状態をフォトフレーム状態として検出する場合の、状態検出センサＣの構成および状態判定部１５０の判定方法について説明する。
【０１８０】
電子辞書３の状態検出センサＣが角度センサである場合、角度センサは蓋側筐体１０と底側筐体２０とのなす角度自体を検出することができる。この場合、状態判定部１５０は、角度センサの検出した角度が任意に定められた範囲の角度（例えば２７０度以上３６０度以下）である場合に、電子辞書３がフォトフレーム状態であると判定することができる。このように、状態判定部１５０は、上記角度そのものの検出結果に応じて判定を行うことができるので、後述する磁気センサＣを用いる場合に比べ、フォトフレーム状態か否か（上記角度が所定の範囲の角度であるか否か）を正確に判定することができるという利点がある。
【０１８１】
また、状態検出センサＣが磁気センサＣである場合、図１９の（ｃ）〜（ｅ）およびその説明で示したように、蓋側筐体１０と底側筐体２０とのなす角度が１８０度より大きく２７０度未満の場合、上記角度が大きくなるにつれ、磁石１５の磁界が磁気センサＣの検出可能な磁界の方向成分を多く含むようになる。したがって、磁気センサＣの検出感度を調節することで、磁気センサＣが反応する（ＯＮ信号を出力する）ようになる角度、すなわち、フォトフレーム状態か否かを判定する閾値を設定することができる。
【０１８２】
また、状態検出センサＣとして、磁気センサと加速度センサとを組み合わせて使用してもよい。この場合、状態判定部１５０は例えば、加速度センサの検出結果がキーボード２１が下向き（Ｚ軸の負方向と同じ向き）であることを示し、かつ磁気センサがＯＮ信号を出力している場合をフォトフレーム状態と判定すればよい。
【０１８３】
さらに、状態検出センサＣとして、図２０に示したように加速度センサＣ１およびＣ２を備える場合は、加速度センサＣ１が検出するキーボード２１の向きと、加速度センサＣ２が検出する底側筐体の向きとから、蓋側筐体１０と底側筐体２０とのなす角度を検出することができる。したがってこの場合、状態判定部１５０は、状態検出センサＣが角度センサである場合と同様に、加速度センサＣ１とＣ２との検出結果から求めた上記角度が任意に定められた範囲の角度である場合に、電子辞書３がフォトフレーム状態であると判定すればよい。
【０１８４】
〔ソフトウェアによる実現例〕
電子辞書１〜３の制御ブロック（特に制御部１００）は、集積回路（ＩＣチップ）等に形成された論理回路（ハードウェア）によって実現してもよいし、ＣＰＵ（Central Processing Unit）を用いてソフトウェアによって実現してもよい。
【０１８５】
後者の場合、電子辞書１〜３は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１８６】
〔まとめ〕
本発明の態様１に係る電子機器（電子辞書１）は、磁石（磁石１２）を有する略板状の第１筐体（蓋側筐体１０）と上記磁石により生じる磁界を検出する磁気検出部（磁気センサＡおよび磁気センサＢ）を有する略板状の第２筐体（底側筐体２０）と、を備えた電子機器であって、上記第１筐体の或る表面と上記第２筐体の或る表面とが重畳する状態を第１状態（閉状態）とし、上記第１筐体の上記或る表面と反対の面と、上記第２筐体の上記或る表面と反対の面とが重畳する状態を第２状態（タブレット状態）とすると、上記磁石は、上記第１状態および上記第２状態において、上記第１筐体と対向する上記第２筐体の上記或る表面に対して、当該磁石のＳ極からＮ極を通る磁石軸（磁石軸１２ａ）が傾いているものであり、上記磁気検出部は、上記第１状態および上記第２状態において上記磁石により生じる磁界をそれぞれ区別して検出する。
【０１８７】
上記の構成によれば、上記磁石の磁石軸が上記第２筐体の上記或る表面に対して傾いている。そのため、上記磁石により上記第２筐体内に生じる磁界領域の位置が、上記第１状態と上記第２状態とで異なる。よって、上記磁気検出部は、上記第２筐体内に生じた磁界領域の位置に基づいて、上記第１状態時に生じた磁界であるか、上記第２状態時に生じた磁界であるかを区別して検出することができる。
【０１８８】
したがって、上記磁気検出部の検出結果に基づいて、電子機器が上記第１状態であるか、上記第２状態であるかを判別することができるという効果を奏する。
【０１８９】
なお、上記磁界領域とは、上記磁気検出部の感度の閾値を上回る領域、あるいは所定方向の磁界成分が所定値以上である領域を意味する。
【０１９０】
本発明の態様２に係る電子機器は、上記態様１において、上記磁気検出部は、少なくとも第１磁気センサ（磁気センサＡ）および第２磁気センサ（磁気センサＢ）を含む複数の磁気センサで構成されており、上記磁石は、上記第１状態において上記第１磁気センサが反応し、上記第２状態において上記第１磁気センサが反応しない第１領域（閉状態検出領域）と、上記第１状態において第２磁気センサが反応せず、上記第２状態において上記第２磁気センサが反応する第２領域（タブレット状態検出領域）と、上記第１状態および上記第２状態において上記第１磁気センサまたは上記第２磁気センサが反応する第３領域（両状態検出領域）と、の領域のうち、少なくとも２種の領域を上記第２筐体およびその内部に生成し、少なくとも上記第１磁気センサおよび上記第２磁気センサが、上記第１領域、上記第２領域および上記第３領域のうちの少なくとも２種の領域内に、別れて配置されていてもよい。
【０１９１】
上記の構成によれば、少なくとも上記第１磁気センサと上記第２磁気センサとは、配置されている領域に応じて互いに異なる反応を示す。また、上記第１領域、上記第２領域および上記第３領域のうちの少なくとも２種の領域内に、上記第１磁気センサと上記第２磁気センサが別れて配置されている。そのため、少なくとも上記第１磁気センサと上記第２磁気センサの反応に基づいて、電子機器が上記第１状態であるか、上記第２状態であるかを判別することができる。
【０１９２】
本発明の態様３に係る電子機器は、上記態様２において、上記磁気センサのうち少なくとも１つが、上記第１状態または上記第２状態における上記磁石の略磁石軸上に配置されていてもよい。
【０１９３】
ここで、上記磁石の磁石軸上は、最も磁界が強い位置である。そのため、略磁石軸上に磁気センサを配置することにより、上記第１状態または上記第２状態において生じる磁界を高精度に検出することができる。
【０１９４】
本発明の態様４に係る電子機器は、上記態様１から３のいずれかにおいて、上記第１筐体および上記第２筐体は、接続部（ヒンジ３０）を介して回動可能に接続されており、上記第１筐体または上記第２筐体を回動させることにより、電子機器が上記第１状態から上記第２状態または上記第２状態から上記第１状態へと遷移する途中の状態を第３状態（開状態）とすると、上記磁気検出部は、上記第１状態、上記第２状態、および上記第３状態において、上記磁石により生じる磁界をそれぞれ区別して検出するものであってもよい。
【０１９５】
上記の構成によれば、電子機器は、上記第３状態に応じた制御を行うことができる。
【０１９６】
本発明の態様５に係る電子機器は、上記態様１から４のいずれかにおいて、上記磁気検出部の検出結果により区別された上記電子機器の状態に応じて、上記電子機器を制御する制御手段（機能制御部１３０）をさらに備えていてもよい。
【０１９７】
上記の構成によれば、上記制御手段は、上記電子機器の状態が第１状態であるか第２状態であるかに応じて、上記電子機器を制御する。そのため、上記電子機器の状態（上記第１状態もしくは上記第２状態、または、上記第１状態、上記第２状態もしくは上記第３状態）に応じた制御を実行することができる。
【０１９８】
本発明の態様６に係る電子機器は、上記態様４において、上記第１筐体は、上記第１筐体の上記或る表面に表示部（タッチパネル１１）を有し、上記第２筐体は、上記第２筐体の上記或る表面に物理的なキーで構成される操作部（キーボード２１）を有し、上記電子機器が上記第１状態であれば、上記電子機器の電源をＯＦＦ状態にし、上記電子機器が上記第２状態であれば、上記電子機器の電源をＯＮ状態にすると共に、上記操作部のうち、上記電子機器の電源ＯＮ／ＯＦＦを切り替える切替部（電源キー２１ａ）以外のキーの操作を無効とし、上記電子機器が上記第３状態であれば、上記電子機器の電源をＯＮ状態にすると共に、上記操作部の全てのキーの操作を有効にする制御手段をさらに備えていてもよい。
【０１９９】
上記の構成によれば、上記第１筐体は、上記第１筐体の上記或る表面に表示部を有し、上記第２筐体は、上記第２筐体の上記或る表面に上記操作部を有しているため、上記第１状態では、上記表示部と上記操作部は、互いに対向して、上記第１筐体および上記第２筐体によって隠れている。そのため、上記第１状態は、上記電子機器を使用していない状態であると考えられる。よって、上記制御手段が上記第１状態時に上記電子機器の電源をＯＦＦ状態にすることにより、上記電子機器の電力消費を抑制することができる。
【０２００】
また、上記第２状態では、上記表示部と上記操作部は、露出しており、互いに電子機器の反対に位置する。そのため、上記第２状態は、例えば、上記表示部がタッチパネル機能を有する場合、タブレットモードで上記電子機器を使用している状態、もしくは、操作部による操作を行わず、閲覧のみをしている状態であると考えられる。また、上記第２状態では、上記電子機器を把持する場合に、誤って上記操作部による入力を行ってしまう場合が考えられる。よって、上記制御手段が上記第２状態時に上記電子機器の電源をＯＮ状態にすると共に、上記操作部のうち、上記電子機器の電源ＯＮ／ＯＦＦを切り替える切替部以外のキーの操作を無効にすることにより、タブレットモードでの使用時もしくは閲覧のみの使用時に、電源ＯＮ／ＯＦＦを切り替える切替部以外のキーの誤操作を抑制することができる。
【０２０１】
また、上記第３状態では、上記表示部と上記操作部は露出している。そのため、上記第３状態は、例えば、上記操作部を操作可能、かつ、上記表示部を閲覧可能な通常の電子機器の使用状態を取り得る。よって、上記制御手段が上記電子機器の電源をＯＮ状態にすると共に、上記操作部の全てのキーの操作を有効にすることにより、通常の電子機器の使用を可能にすることができる。
【０２０２】
本発明の態様７に係る電子機器は、上記態様２または３において、上記磁気センサは、ホールセンサまたはＭＲセンサであってもよい。
【０２０３】
本発明の態様８に係る電子機器（電子辞書３）は、上記態様４から６のいずれか一態様において、上記第１筐体の上記或る表面に有する表示部（タッチパネル１１の表示部）に表示させる画像を、上記電子機器が第２状態である場合と、上記電子機器が第３状態である場合とで異なる表示方向で表示させる表示制御手段（表示制御部１３２）を備えていてもよい。
【０２０４】
上記構成によると、表示制御手段は表示部に、電子機器の状態に応じて適切な表示方向で画像を表示させることができる。なお、ここでいう「適切な表示方向」とは、ユーザが電子機器を使用する際の表示部の向きに合致した表示方向を示す。上記構成により、電子機器を状態を変えて使用する際に、ユーザが表示方向を手動で変更する手間を省くことができ、電子機器の利便性が向上する。
【０２０５】
本発明の態様９に係る電子機器は、上記態様８において、上記表示制御手段は、上記電子機器が上記第２状態から上記第３状態に変化してから、または、上記第３状態から上記第２状態に変化してから所定時間が経過した後に上記画像の上記表示方向を切替えてもよい。
【０２０６】
電子機器の状態が変化してから所定時間が経過した（所定時間が経過しても電子機器の状態が変化していない）という事は、ユーザが変化後の状態で電子機器を使用すると決定した可能性が高い。したがって、上記構成のように所定時間が経過してから画像の表示方向を切替えることにより、ユーザが電子機器の第１筐体と第２筐体との状態を誤って変更してしまった場合に、画像の表示方向が目まぐるしく変わることを防ぐことができる。
【０２０７】
本発明の態様１０に係る電子機器は、上記態様８または９において、上記電子機器に対する所定の操作を検出する操作検出手段（制御部１００）を備え、上記表示制御手段は、上記操作検出手段が上記所定の操作を検出した場合は、上記電子機器の状態が上記第２状態または上記第３状態から変化しても上記表示方向を上記変化前の上記電子機器の状態に応じた上記表示方向を維持してもよい。
【０２０８】
ここで、操作検出手段が検出する所定の操作とは、例えばタッチパネルへのタッチなど、第１の筐体および第２の筐体を操作し電子機器の状態を変化させる場合には行わない可能性が高い操作である。換言すると、上記所定の操作は、ユーザが意図的に行う操作である。
【０２０９】
したがって上記構成によると、表示制御手段は、「表示方向を変えないまま電子機器の状態を変更する」というユーザの意図的な指示操作を検出し、適切な表示方向で画像を表示させることができる。
【０２１０】
本発明の態様１１に係る電子機器は、上記態様４から６、および８から１０のいずれか一態様において、音声入力を受け付ける音声入力部（マイク３１）および音声出力する音声出力部（スピーカ４１）の少なくとも１つと、上記電子機器が第２状態である場合と、上記電子機器が第３状態である場合とで、上記音声入力部の入力レベルの値および上記音声出力部の出力レベルの値の少なくとも一方を異なるように設定する音声入出力制御手段（音声入出力制御部１３３）と、を備えていてもよい。
【０２１１】
電子機器の状態が第２状態である場合と第３状態である場合とでは、当該電子機器がユーザに使用される際の、音声入力部および音声出力部の少なくともいずれかと、ユーザの顔（耳や口）との距離は異なる。
【０２１２】
したがって、上記構成のように、音声入出力制御手段が電子機器の状態が第２状態であるか第３状態であるかに応じて音声入力部の入力レベルの値および音声出力部の出力レベルの値の少なくとも一方を適切に設定することにより、電子機器の状態が変化しても、少なくとも、ユーザの発話を適切な音量で録音すること、およびユーザに聞こえやすい音量で音声出力を行うことのいずれかが達成できる。
【０２１３】
本発明の態様１２に係る電子機器は、上記態様４において、上記電子機器が上記第２状態において所定の機能を実行中の場合は、上記電子機器の状態が上記第２状態と異なる状態に変化しても上記第２筐体の上記或る表面に構成される操作部（キーボード２１）に対する入力の無効を維持する第１入力無効化手段（入力制御部１３１）を備えていてもよい。
【０２１４】
ここで、所定の機能とは、画像や動画の閲覧などユーザの操作をあまり伴わない機能である。このような機能の動作中は、ユーザが操作部から入力操作を行う可能性は低いと考えられる。また、第２状態のように、元々操作部を使用しないと思われる状態で上述のような機能を動作させている場合、ユーザが操作部から入力操作を行う可能性はさらに低下すると考えられる。したがって、電子機器が第２状態で上記所定の機能を実行中である場合、第２状態から状態が変化しても操作部への入力を無効とすることにより、ユーザが誤って電子機器を動かした場合の入力の誤認識を防ぐことができる。
【０２１５】
本発明の態様１３に係る電子機器は、上記態様４から６、および８から１２のいずれか一態様において、上記第３状態のうちで、上記第１筐体の上記或る表面と上記第２筐体の上記或る表面とが上記接続部を介してなす角度が１８０度より大きく３６０度以下である状態を第４状態（フォトフレーム状態）として検出する第４状態検出部（状態検出センサＣ）を備えていてもよい。
【０２１６】
なお、上記第１筐体の上記或る表面と上記第２筐体の上記或る表面とのなす角度は、上記第１筐体の上記或る表面と上記第２筐体の上記或る表面とが略平行に対向する場合を０度と規定する。
【０２１７】
上記構成によると、第４状態検出部は、第１筐体の或る面と第２筐体の或る面との位置関係を判別することができる。
【０２１８】
本発明の態様１４に係る電子機器は、上記態様１３において、上記電子機器が上記第２状態または上記第４状態である場合は、上記第２筐体の上記或る表面に配置された操作部（キーボード２１）に対する入力を無効とする第２入力無効化手段（入力制御部１３１）を備えていてもよい。
【０２１９】
上記構成によると、入力無効化手段は、上記第２筐体の操作部が配置された面が上記第１筐体と重畳せず外部に露出している第２状態や、上記第２筐体の上記操作部が配置された面よりも上記操作部が配置されたのと反対側の面の方が外部への露出が少ない第４状態の場合に、操作部に対する入力を無効とすることができる。
【０２２０】
したがって、入力無効化手段は、操作部が電子機器の外部に露出する場合に、誤操作が起こりにくいように操作部からの入力を無効化することができる。
【０２２１】
本発明の態様１５に係る電子機器は、上記態様１１または１２において、上記第４状態検出部は、上記第１筐体の上記或る表面と上記第２筐体の上記或る表面とが上記接続部を介してなす角度を検出する角度検出センサであってもよい。
【０２２２】
本発明の態様１６に係る電子機器は、上記態様１１または１２において、上記第４状態検出部は磁気センサ（磁気センサＣ）であり、上記第１筐体、上記第２筐体、および上記接続部のいずれかに配置されていてもよい。
【０２２３】
本発明の態様１７に係る電子機器は、上記態様１１または１２において、上記第４状態検出部は加速度センサ（加速度センサＣ、または加速度センサＣ１およびＣ２）であってもよい。
【０２２４】
本発明の態様１８に係る電子機器（電子辞書３）は、略板状の第１筐体（蓋側筐体１０）と、略板状の第２筐体（底側筐体２０）とが接続部（ヒンジ３０）を介して回動可能に接続された電子機器であって、上記第１筐体の上記或る表面と上記第２筐体の上記或る表面とが上記接続部を介してなす角度が１８０度より大きく３６０度以下である状態を第４状態（フォトフレーム状態）として検出する第４状態検出部（状態検出センサＣ）を備える。
【０２２５】
なお、上記第１筐体の上記或る表面と上記第２筐体の上記或る表面とのなす角度は、上記第１筐体の上記或る表面と上記第２筐体の上記或る表面とが略平行に対向する場合を０度と規定する。
【０２２６】
上記構成によると、第４状態検出部は、第１筐体の或る面と第２筐体の或る面との位置関係を判別することができる。
【０２２７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０２２８】
本発明は、電子機器の筐体、特に、回動可能に接続された２つの筐体を備える電子機器に好適に利用することができる。
【符号の説明】
【０２２９】
１      電子辞書（電子機器）
１０    蓋側筐体（第１筐体）
１１    タッチパネル（表示部）
１２〜１５    磁石
１２ａ  磁石軸
２０    底側筐体（第２筐体）
２１    キーボード（操作部）
２１ａ  電源キー（切替部）
３０    ヒンジ（接続部）
３１    マイク（音声入力部）
４１    スピーカ（音声出力部）
２２    基板
１００  制御部（操作検出手段）
１３０  機能制御部（制御手段）
１３１  入力制御部（第１入力無効化手段、第２入力無効化手段）
１３２  表示制御部（表示制御手段）
１３３  音声入出力制御部（音声入出力制御手段）
Ａ      磁気センサ（磁気検出部、第１磁気センサ）
Ｂ      磁気センサ（磁気検出部、第２磁気センサ）
Ｃ      状態検出センサ（第４状態検出部）
【図１】
2015119470.tif 000003
【図２】
2015119470.tif 000004
【図３】
2015119470.tif 000005
【図４】
2015119470.tif 000006
【図５】
2015119470.tif 000007
【図６】
2015119470.tif 000008
【図７】
2015119470.tif 000009
【図８】
2015119470.tif 000010
【図９】
2015119470.tif 000011
【図１０】
2015119470.tif 000012
【図１１】
2015119470.tif 000013
【図１２】
2015119470.tif 000014
【図１３】
2015119470.tif 000015
【図１４】
2015119470.tif 000016
【図１５】
2015119470.tif 000017
【図１６】
2015119470.tif 000018
【図１７】
2015119470.tif 000019
【図１８】
2015119470.tif 000020
【図１９】
2015119470.tif 000021
【図２０】
2015119470.tif 000022